(57)【要約】【課題】  ユーザの自宅での視聴の結果を実体験サービスに反映させることができる視聴履歴情報蓄積記録媒体及び実体験サービスシステムを提供する。【解決手段】  ユーザの自宅での視聴の結果に基づき、視聴対象情報を記録した記録媒体１００２の上記視聴対象情報の視聴履歴情報を蓄積し、上記蓄積された上記視聴履歴情報に基づき体験サービスの内容を設定する。これにより、ユーザの興味や嗜好に応じて、テニスやゴルフ等の体験サービスのカスタマイズが可能になる。【選択図】図１
2005185830.tif 000002
【特許請求の範囲】
【請求項１】
視聴装置（１００３，３２０２）で視聴可能な視聴対象情報を記録した記録媒体（１００２，３２０１）において、
上記視聴対象情報が上記視聴装置で視聴された視聴履歴情報を蓄積する電子タグ（１００２Ａ）を備えることを特徴とする電子タグ付き記録媒体。
【請求項２】
視聴対象情報の視聴履歴情報を蓄積する蓄積部（１００２Ａ，３５０６）と、
上記蓄積部に蓄積された上記視聴対象情報の上記視聴履歴情報に基づき体験サービスの内容を設定する体験サービス内容設定手段（１００７，１００７Ｇ，３５１３）と、
を備えることを特徴とする実体験サービスシステム。
【請求項３】
上記視聴対象情報は視聴コンテンツであり、
上記体験サービス内容設定手段は、上記蓄積部に蓄積された上記視聴対象情報の上記視聴履歴情報に基づき、上記視聴コンテンツに関する体験サービスの内容を設定することを特徴とする請求項２に記載の実体験サービスシステム。
【請求項４】
視聴対象情報を記録した記録媒体（１００２）の上記視聴対象情報の視聴履歴情報を蓄積する視聴履歴情報蓄積手段（１００２Ａ）と、
上記視聴履歴情報蓄積手段に蓄積された上記視聴履歴情報に基づき体験サービスの内容を設定する体験サービス内容設定手段（１００７，１００７Ｇ）と、
を備えることを特徴とする実体験サービスシステム。
【請求項５】
複数の視聴対象情報と上記複数の視聴対象情報のそれぞれの内容を記録した記録媒体（３５０１）の上記複数の視聴対象情報のそれぞれの内容の視聴履歴情報を蓄積する視聴履歴情報蓄積手段（３５０６）と、
上記複数の視聴対象情報のそれぞれの内容と上記視聴履歴情報から視聴重点領域を検出する視聴重点領域検出手段（３５１２）と、
上記視聴重点領域検出手段で検出された視聴重点領域から体験サービスの内容を設定する体験サービス内容設定手段（３５１３）と、
を備えることを特徴とする実体験サービスシステム。
【請求項６】
上記視聴対象情報は視聴コンテンツであり、
上記体験サービス内容設定手段は、上記視聴コンテンツに関する体験サービスの内容を、上記視聴重点領域から検出された上記視聴重点領域から上記体験サービスの内容を設定することを特徴とする請求項５に記載の実体験サービスシステム。
【請求項７】
上記視聴対象情報は視聴コンテンツであり、
上記視聴コンテンツに関する複数の各体験サービスにおける撮像装置の設定情報が蓄積されている設定情報蓄積手段をさらに備え、
上記体験サービス内容設定手段は、上記設定情報蓄積手段からの、上記視聴重点領域から検出された上記視聴重点領域における上記コンテンツの上記設定情報から上記体験サービスの内容を設定することを特徴とする請求項５に記載の実体験サービスシステム。
【請求項８】
上記視聴対象情報は視聴コンテンツであり、
上記視聴重点領域検出手段は、上記視聴コンテンツ蓄積部に蓄積された各視聴対象情報に対して複数のユーザから取得された上記各ユーザごとに視聴重点領域を検出し、
上記体験サービス内容設定手段は、上記視聴コンテンツに関する体験サービスの内容を、上記視聴重点領域から検出された視聴重点領域から上記ユーザを分類することを特徴とする請求項５に記載の実体験サービスシステム。
【請求項９】
上記各ユーザの体験サービスを行った履歴を蓄積する体験サービス履歴蓄積手段をさらに備え、
上記体験サービス内容設定手段は、上記体験サービス履歴蓄積手段で蓄積されている上記履歴を利用して、上記視聴コンテンツに関する体験サービスの内容を、上記視聴重点領域から検出された視聴重点領域から上記ユーザを分類することを特徴とする請求項８に記載の実体験サービスシステム。
【請求項１０】
複数の視聴対象情報と上記複数の視聴対象情報のそれぞれの内容を記録した記録媒体（１００２，３２０１，３６０１）の上記複数の視聴対象情報のそれぞれの内容の視聴履歴情報を蓄積する視聴履歴情報蓄積手段（３５０６）と、
上記複数の視聴対象情報のそれぞれの内容と上記視聴履歴情報から視聴重点領域を検出する視聴重点領域検出手段（２７０６，３５１２）と、
上記視聴重点領域検出手段で検出された視聴重点領域から体験サービスで利用される機器（２７０８，３３０８）の制御を設定する機器制御設定手段（３３０９，３６１４）と、
を備えることを特徴とする実体験サービスシステム。
【請求項１１】
上記視聴対象情報は視聴コンテンツであり、
上記機器制御設定手段は、上記視聴重点領域から検出された視聴重点領域から上記視聴コンテンツに関する体験サービスで利用される機器の制御を設定することを特徴とする請求項１０に記載の実体験サービスシステム。
【請求項１２】
複数の視聴対象情報と上記複数の視聴対象情報のそれぞれの内容を記録した記録媒体（１００２，３２０１，３６０１）の上記複数の視聴対象情報のそれぞれの内容の視聴履歴情報を蓄積する視聴履歴情報蓄積手段（３５０６）と、
上記複数の視聴対象情報のそれぞれの内容と上記視聴履歴情報から視聴重点領域を検出する視聴重点領域検出手段（２７０６，３５１２）と、
上記視聴重点領域検出手段で検出された視聴重点領域から体験サービスでの撮像手段（２７０８，３３０８）による撮像時間を制御する撮像制御手段（３３０９，３６１４）と、
上記撮像手段で撮像された映像を上記記録媒体に記録する記録媒体記録手段（３３１１）と、
を備えることを特徴とする実体験サービスシステム。
【請求項１３】
上記視聴対象情報は視聴コンテンツであり、
上記視聴履歴情報蓄積手段は、上記撮像手段で撮像したコンテンツと、上記体験サービスで利用した制御機器の制御情報とを蓄積することを特徴とする請求項１２に記載の実体験サービスシステム。
【請求項１４】
視聴対象情報を記録した記録媒体（１００２）の上記視聴対象情報の視聴履歴情報を蓄積し、
上記蓄積された上記視聴履歴情報に基づき体験サービスの内容を設定することを特徴とする実体験サービス設定方法。
【請求項１５】
複数の視聴対象情報と上記複数の視聴対象情報のそれぞれの内容を記録した記録媒体の上記複数の視聴対象情報のそれぞれの内容の視聴履歴情報を蓄積し、
上記複数の視聴対象情報のそれぞれの内容と上記視聴履歴情報から視聴重点領域を検出し、
上記検出された視聴重点領域から体験サービスの内容を設定することを特徴とする実体験サービス設定方法。
【請求項１６】
複数の視聴対象情報と上記複数の視聴対象情報のそれぞれの内容を記録した記録媒体の上記複数の視聴対象情報のそれぞれの内容の視聴履歴情報を蓄積し、
上記複数の視聴対象情報のそれぞれの内容と上記視聴履歴情報から視聴重点領域を検出し、
上記検出された視聴重点領域から体験サービスで利用される機器の制御を設定することを特徴とする実体験サービス機器制御設定方法。
【請求項１７】
複数の視聴対象情報と上記複数の視聴対象情報のそれぞれの内容を記録した記録媒体の上記複数の視聴対象情報のそれぞれの内容の視聴履歴情報を蓄積し、
上記複数の視聴対象情報のそれぞれの内容と上記視聴履歴情報から視聴重点領域を検出し、
上記検出された視聴重点領域から体験サービスでの撮像時間を制御し、
上記撮像された映像を上記記録媒体に記録することを特徴とする実体験サービス機器制御設定方法。
【発明の詳細な説明】
【技術分野】
【０００１】
本発明は、視聴履歴情報を蓄積させた視聴履歴情報蓄積記録媒体、及び記録媒体等に蓄積させた視聴履歴情報を利用して実体験サービスを行う実体験サービスシステムに関するものである。本発明における実体験サービスとは、テニスやゴルフのレッスン等、スポーツや教育分野において実技を伴う体験をお金または又は物品を支払うことにより提供するサービスのことを示している。さらに、ボランティアにより提供される体験サービスも含むものである。
【背景技術】
【０００２】
従来、擬似体験を実現する装置に関する発明が多くなされている（例えば、特許文献１、特許文献２）。しかしながら、仮想的な疑似体験では、実体験に比べリアリティが少ないという課題がある。一方で、カルチャークラブやテニスやゴルフや水泳などの実体験を含むスポーツスクールでは、ビデオ・ＤＶＤ・教習本を貸し出し、自宅でもイメージトレーニングができるようなサービスが普及し、実体験をさらに効果的に実現するような試みが行われている。
【０００３】
【特許文献１】特開平１１−１４９２４３号公報
【特許文献２】特開平１０−２２２０５０号公報
【発明の開示】
【発明が解決しようとする課題】
【０００４】
しかしながら、従来までの実体験サービスにおいては、家庭におけるユーザのビデオ・ＤＶＤの視聴の結果を反映することができなかった。また、記録媒体による習得過程と実体験（スクール等での）レッスンの内容の整合がとれていない場合が多い。
【０００５】
従って、本発明の目的は、上記問題を解決することにあって、ユーザの自体でのＤＶＤなどの視聴の履歴を反映させることができ、記録媒体による習得過程と実体験（スクール等での）レッスンの内容の整合をとることができる視聴履歴情報蓄積記録媒体及び実体験サービスシステムを提供することにある。
【課題を解決するための手段】
【０００６】
上記目的を達成するために、本発明は、動画などの視聴対象情報が記録された記録媒体又は該記録媒体に添付されているタグ又は上記記録媒体とは別の記録媒体に、家庭での再生や録画などの視聴履歴情報を記憶させ、実体験サービスを受けることが可能な施設すなわち現場での体験に反映させようとするものである。
【０００７】
具体的には、本発明は以下のように構成する。
【０００８】
本発明の第１態様によれば、視聴装置で視聴可能な視聴対象情報を記録した記録媒体において、
上記視聴対象情報が上記視聴装置で視聴された視聴履歴情報を蓄積する電子タグを備えることを特徴とする電子タグ付き記録媒体を提供する。
【０００９】
本発明の第２態様によれば、視聴対象情報の視聴履歴情報を蓄積する蓄積部と、
上記蓄積部に蓄積された上記視聴対象情報の上記視聴履歴情報に基づき体験サービスの内容を設定する体験サービス内容設定手段と、
を備えることを特徴とする実体験サービスシステムを提供する。
【００１０】
本発明の第４態様によれば、視聴対象情報を記録した記録媒体の上記視聴対象情報の視聴履歴情報を蓄積する視聴履歴情報蓄積手段と、
上記視聴履歴情報蓄積手段に蓄積された上記視聴履歴情報に基づき体験サービスの内容を設定する体験サービス内容設定手段と、
を備えることを特徴とする実体験サービスシステムを提供する。
【００１１】
本発明の第５態様によれば、複数の視聴対象情報と上記複数の視聴対象情報のそれぞれの内容を記録した記録媒体の上記複数の視聴対象情報のそれぞれの内容の視聴履歴情報を蓄積する視聴履歴情報蓄積手段と、
上記複数の視聴対象情報のそれぞれの内容と上記視聴履歴情報から視聴重点領域を検出する視聴重点領域検出手段と、
上記視聴重点領域検出手段で検出された視聴重点領域から体験サービスの内容を設定する体験サービス内容設定手段と、
を備えることを特徴とする実体験サービスシステムを提供する。
【００１２】
本発明の第１０態様によれば、複数の視聴対象情報と上記複数の視聴対象情報のそれぞれの内容を記録した記録媒体の上記複数の視聴対象情報のそれぞれの内容の視聴履歴情報を蓄積する視聴履歴情報蓄積手段と、
上記複数の視聴対象情報のそれぞれの内容と上記視聴履歴情報から視聴重点領域を検出する視聴重点領域検出手段と、
上記視聴重点領域検出手段で検出された視聴重点領域から体験サービスで利用される機器の制御を設定する機器制御設定手段と、
を備えることを特徴とする実体験サービスシステムを提供する。
【００１３】
本発明の第１２態様によれば、複数の視聴対象情報と上記複数の視聴対象情報のそれぞれの内容を記録した記録媒体の上記複数の視聴対象情報のそれぞれの内容の視聴履歴情報を蓄積する視聴履歴情報蓄積手段と、
上記複数の視聴対象情報のそれぞれの内容と上記視聴履歴情報から視聴重点領域を検出する視聴重点領域検出手段と、
上記視聴重点領域検出手段で検出された視聴重点領域から体験サービスでの撮像手段による撮像時間を制御する撮像制御手段と、
上記撮像手段で撮像された映像を上記記録媒体に記録する記録媒体記録手段と、
を備えることを特徴とする実体験サービスシステムを提供する。
【００１４】
本発明の第１４態様によれば、視聴対象情報を記録した記録媒体の上記視聴対象情報の視聴履歴情報を蓄積し、
上記蓄積された上記視聴履歴情報に基づき体験サービスの内容を設定することを特徴とする実体験サービス設定方法を提供する。
【００１５】
本発明の第１５態様によれば、複数の視聴対象情報と上記複数の視聴対象情報のそれぞれの内容を記録した記録媒体の上記複数の視聴対象情報のそれぞれの内容の視聴履歴情報を蓄積し、
上記複数の視聴対象情報のそれぞれの内容と上記視聴履歴情報から視聴重点領域を検出し、
上記検出された視聴重点領域から体験サービスの内容を設定することを特徴とする実体験サービス設定方法を提供する。
【００１６】
本発明の第１６態様によれば、複数の視聴対象情報と上記複数の視聴対象情報のそれぞれの内容を記録した記録媒体の上記複数の視聴対象情報のそれぞれの内容の視聴履歴情報を蓄積し、
上記複数の視聴対象情報のそれぞれの内容と上記視聴履歴情報から視聴重点領域を検出し、
上記検出された視聴重点領域から体験サービスで利用される機器の制御を設定することを特徴とする実体験サービス機器制御設定方法を提供する。
【００１７】
本発明の第１７態様によれば、複数の視聴対象情報と上記複数の視聴対象情報のそれぞれの内容を記録した記録媒体の上記複数の視聴対象情報のそれぞれの内容の視聴履歴情報を蓄積し、
上記複数の視聴対象情報のそれぞれの内容と上記視聴履歴情報から視聴重点領域を検出し、
上記検出された視聴重点領域から体験サービスでの撮像時間を制御し、
上記撮像された映像を上記記録媒体に記録することを特徴とする実体験サービス機器制御設定方法を提供する。
【発明の効果】
【００１８】
本発明により、記録媒体やネットやケーブルなどの通信手段を通じて提供される視聴対象情報に対するユーザの再生や録画などの視聴履歴情報に応じて、そのユーザに必要な実体験サービスを適応させることが可能になる。例えば、テニスの実体験サービスにおいて、自らが興味のある実体験を重点的に体験することができる。また、その映像をユーザの記録媒体などに蓄積することにより、あらかじめ蓄積されているレッスンの内容と実体験の映像を簡単に見比べることが可能になる。
【発明を実施するための最良の形態】
【００１９】
以下に、本発明にかかる実施の形態を説明する前に、本発明の種々の態様について説明する。
【００２０】
本発明の第１態様によれば、視聴装置で視聴可能な視聴対象情報を記録した記録媒体において、
上記視聴対象情報が上記視聴装置で視聴された視聴履歴情報を蓄積する電子タグを備えることを特徴とする電子タグ付き記録媒体を提供する。
【００２１】
本発明の第２態様によれば、視聴対象情報の視聴履歴情報を蓄積する蓄積部と、
上記蓄積部に蓄積された上記視聴対象情報の上記視聴履歴情報に基づき体験サービスの内容を設定する体験サービス内容設定手段と、
を備えることを特徴とする実体験サービスシステムを提供する。
【００２２】
本発明の第３態様によれば、上記視聴対象情報は視聴コンテンツであり、
上記体験サービス内容設定手段は、上記蓄積部に蓄積された上記視聴対象情報の上記視聴履歴情報に基づき、上記視聴コンテンツに関する体験サービスの内容を設定することを特徴とする第２の態様に記載の実体験サービスシステムを提供する。
【００２３】
本発明の第４態様によれば、視聴対象情報を記録した記録媒体の上記視聴対象情報の視聴履歴情報を蓄積する視聴履歴情報蓄積手段と、
上記視聴履歴情報蓄積手段に蓄積された上記視聴履歴情報に基づき体験サービスの内容を設定する体験サービス内容設定手段と、
を備えることを特徴とする実体験サービスシステムを提供する。
【００２４】
本発明の第５態様によれば、複数の視聴対象情報と上記複数の視聴対象情報のそれぞれの内容を記録した記録媒体の上記複数の視聴対象情報のそれぞれの内容の視聴履歴情報を蓄積する視聴履歴情報蓄積手段と、
上記複数の視聴対象情報のそれぞれの内容と上記視聴履歴情報から視聴重点領域を検出する視聴重点領域検出手段と、
上記視聴重点領域検出手段で検出された視聴重点領域から体験サービスの内容を設定する体験サービス内容設定手段と、
を備えることを特徴とする実体験サービスシステムを提供する。
【００２５】
本発明の第６態様によれば、上記視聴対象情報は視聴コンテンツであり、
上記体験サービス内容設定手段は、上記視聴コンテンツに関する体験サービスの内容を、上記視聴重点領域から検出された上記視聴重点領域から上記体験サービスの内容を設定することを特徴とする第５の態様に記載の実体験サービスシステムを提供する。
【００２６】
本発明の第７態様によれば、上記視聴対象情報は視聴コンテンツであり、
上記視聴コンテンツに関する複数の各体験サービスにおける撮像装置の設定情報が蓄積されている設定情報蓄積手段をさらに備え、
上記体験サービス内容設定手段は、上記設定情報蓄積手段からの、上記視聴重点領域から検出された上記視聴重点領域における上記コンテンツの上記設定情報から上記体験サービスの内容を設定することを特徴とする第５の態様に記載の実体験サービスシステムを提供する。
【００２７】
本発明の第８態様によれば、上記視聴対象情報は視聴コンテンツであり、
上記視聴重点領域検出手段は、上記視聴コンテンツ蓄積部に蓄積された各視聴対象情報に対して複数のユーザから取得された上記各ユーザごとに視聴重点領域を検出し、
上記体験サービス内容設定手段は、上記視聴コンテンツに関する体験サービスの内容を、上記視聴重点領域から検出された視聴重点領域から上記ユーザを分類することを特徴とする第５の態様に記載の実体験サービスシステムを提供する。
【００２８】
本発明の第９態様によれば、上記各ユーザの体験サービスを行った履歴を蓄積する体験サービス履歴蓄積手段をさらに備え、
上記体験サービス内容設定手段は、上記体験サービス履歴蓄積手段で蓄積されている上記履歴を利用して、上記視聴コンテンツに関する体験サービスの内容を、上記視聴重点領域から検出された視聴重点領域から上記ユーザを分類することを特徴とする第８の態様に記載の実体験サービスシステムを提供する。
【００２９】
本発明の第１０態様によれば、複数の視聴対象情報と上記複数の視聴対象情報のそれぞれの内容を記録した記録媒体の上記複数の視聴対象情報のそれぞれの内容の視聴履歴情報を蓄積する視聴履歴情報蓄積手段と、
上記複数の視聴対象情報のそれぞれの内容と上記視聴履歴情報から視聴重点領域を検出する視聴重点領域検出手段と、
上記視聴重点領域検出手段で検出された視聴重点領域から体験サービスで利用される機器の制御を設定する機器制御設定手段と、
を備えることを特徴とする実体験サービスシステムを提供する。
【００３０】
本発明の第１１態様によれば、上記視聴対象情報は視聴コンテンツであり、
上記機器制御設定手段は、上記視聴重点領域から検出された視聴重点領域から上記視聴コンテンツに関する体験サービスで利用される機器の制御を設定することを特徴とする第１０の態様に記載の実体験サービスシステムを提供する。
【００３１】
本発明の第１２態様によれば、複数の視聴対象情報と上記複数の視聴対象情報のそれぞれの内容を記録した記録媒体の上記複数の視聴対象情報のそれぞれの内容の視聴履歴情報を蓄積する視聴履歴情報蓄積手段と、
上記複数の視聴対象情報のそれぞれの内容と上記視聴履歴情報から視聴重点領域を検出する視聴重点領域検出手段と、
上記視聴重点領域検出手段で検出された視聴重点領域から体験サービスでの撮像手段による撮像時間を制御する撮像制御手段と、
上記撮像手段で撮像された映像を上記記録媒体に記録する記録媒体記録手段と、
を備えることを特徴とする実体験サービスシステムを提供する。
【００３２】
本発明の第１３態様によれば、上記視聴対象情報は視聴コンテンツであり、
上記視聴履歴情報蓄積手段は、上記撮像手段で撮像したコンテンツと、上記体験サービスで利用した制御機器の制御情報とを蓄積することを特徴とする第１２の態様に記載の実体験サービスシステムを提供する。
【００３３】
本発明の第１４態様によれば、視聴対象情報を記録した記録媒体の上記視聴対象情報の視聴履歴情報を蓄積し、
上記蓄積された上記視聴履歴情報に基づき体験サービスの内容を設定することを特徴とする実体験サービス設定方法を提供する。
【００３４】
本発明の第１５態様によれば、複数の視聴対象情報と上記複数の視聴対象情報のそれぞれの内容を記録した記録媒体の上記複数の視聴対象情報のそれぞれの内容の視聴履歴情報を蓄積し、
上記複数の視聴対象情報のそれぞれの内容と上記視聴履歴情報から視聴重点領域を検出し、
上記検出された視聴重点領域から体験サービスの内容を設定することを特徴とする実体験サービス設定方法を提供する。
【００３５】
本発明の第１６態様によれば、複数の視聴対象情報と上記複数の視聴対象情報のそれぞれの内容を記録した記録媒体の上記複数の視聴対象情報のそれぞれの内容の視聴履歴情報を蓄積し、
上記複数の視聴対象情報のそれぞれの内容と上記視聴履歴情報から視聴重点領域を検出し、
上記検出された視聴重点領域から体験サービスで利用される機器の制御を設定することを特徴とする実体験サービス機器制御設定方法を提供する。
【００３６】
本発明の第１７態様によれば、複数の視聴対象情報と上記複数の視聴対象情報のそれぞれの内容を記録した記録媒体の上記複数の視聴対象情報のそれぞれの内容の視聴履歴情報を蓄積し、
上記複数の視聴対象情報のそれぞれの内容と上記視聴履歴情報から視聴重点領域を検出し、
上記検出された視聴重点領域から体験サービスでの撮像時間を制御し、
上記撮像された映像を上記記録媒体に記録することを特徴とする実体験サービス機器制御設定方法を提供する。
【００３７】
以下に、本発明にかかる実施の形態を図面に基づいて詳細に説明する。
（第１実施形態）
図１に、本発明の第１実施形態にかかる実体験サービスシステムの一例として、視聴履歴情報蓄積記録媒体を利用する実体験サービスシステムの全体の一構成例を示す。
【００３８】
図１において、１００１はユーザの自宅、１００２はテニス等のレッスン内容の動画などの視聴対象情報（一例としては視聴コンテンツ）が蓄積された記録媒体の一例としてのＤＶＤ（Ｄｉｇｉｔａｌ  Ｖｅｒｓａｔｉｌｅ  Ｄｉｓｃ）に、蓄積部又は視聴履歴情報蓄積手段の一例としての電子タグ１００２Ａが装着された電子タグ付きＤＶＤ、１００３は、視聴装置の一例であって、ＤＶＤ１００２の再生機能を持つとともにＤＶＤ１００２の視聴履歴情報の一例としての再生履歴情報を電子タグ１００２Ａへ書き込む書き込み機能を持つ電子タグ読み書き機能付きＤＶＤ再生装置、１００４はＤＶＤ再生装置１００３に接続されてＤＶＤ再生装置１００３でＤＶＤ１００２を再生したテニスのレッスン等の内容を表示する表示装置である。
【００３９】
また、１００５は実体験サービスを受ける施設のフロントの一例としての、テニス等の実体験サービスを体験できるテニスコートを有する施設のフロントであり、１００６はその施設のフロント１００５に備えられた、電子タグ付きＤＶＤ１００２の電子タグ１００２Ａに蓄積されたＤＶＤ１００２の再生履歴情報を読み取る電子タグ読み取り装置、１００７は上記施設のフロント１００５に備えられ、かつ、電子タグ読み取り装置１００６に接続されて電子タグ読み取り装置１００６により読み取られたテニスのレッスン等の動画の再生履歴情報から実体験サービスのメニューを決定する、体験サービス内容設定手段の一例としての実体験サービス決定装置、１００８は実体験サービス決定装置１００７で決定された実体験サービスをユーザが受けている様子である。
【００４０】
電子タグの一例としては、非接触ＩＣチップを使った記憶媒体とアンテナを埋め込んだプレート（タグ）より構成されるＲＦタグなどがある。
【００４１】
実体験サービス決定装置１００７は、図２Ｂに示されるように、電子タグ読み取り装置１００６により読み取られたテニスのレッスン等の動画の再生履歴情報を記録する再生履歴情報蓄積データベース１００７Ａと、種々の実体験サービスのメニュー情報が蓄積されたメニュー情報蓄積データベース１００７Ｂと、後述する、練習状態などを撮像した撮像情報を記録する撮像情報蓄積データベース１００７Ｃと、電子タグ読み取り装置１００６により読み取られたテニスのレッスン等の動画の再生履歴情報のうちから特定の情報を抽出するとともに、当該抽出された特定の情報に対応するメニュー情報をさらに抽出するためのプログラムを記録した抽出部１００７Ｄと、抽出部１００７Ｄと再生履歴情報蓄積データベース１００７Ａとメニュー情報蓄積データベース１００７Ｂと撮像情報蓄積データベース１００７Ｃとに接続されて、再生履歴情報とメニュー情報蓄積とから実体験サービスのメニューを決定する、体験サービス内容設定手段の一例としてのメニュー決定部１００７Ｇと、撮像情報蓄積データベース１００７Ｃに記録された撮像情報をＤＶＤなどに記録させる記録部１００７Ｆと、メニュー決定部１００７Ｇにより決定されたメニューなどを表示するモニタなどの表示部１００７Ｈと、再生履歴情報蓄積データベース１００７Ａとメニュー情報蓄積データベース１００７Ｂと撮像情報蓄積データベース１００７Ｃと抽出部１００７Ｄと記録部１００７Ｆとメニュー決定部１００７Ｇと表示部１００７Ｈとに接続されて、各部の動作を制御する制御部１００７Ｅとを有している。なお、抽出部１００７Ｄ内の対応検出部１７０５と重点視聴度算出部１７０６と、コンテンツ対応表データベース１７０４とについては、図８を基に後述する。
【００４２】
ここで、図１を用いて、本発明の上記第１実施形態の上記実体験サービスシステムの全体システムの概要について述べる。
【００４３】
ユーザは、テニスの上達を目的に、テニスの動画が蓄積された電子タグ付きＤＶＤ１００２をインターネット販売や店舗での購入又はレンタル等で入手する。ＤＶＤ１００２にはテニスの動画コンテンツが蓄積されており、フォアハンドストローク、バックハンドストローク、サーブ等のテニスの実体験のレッスンで体験できるコンテンツが蓄積されている。また、ユーザの自宅１００１には、電子タグ付きＤＶＤ１００２を再生可能でかつＤＶＤ１００２の電子タグ１００２Ａを読み書き可能な電子タグ読み書き機能付きＤＶＤ再生装置１００３を、購入、又はテニス等の実体験サービスを行っている業者から貸し出し等により入手するとともに、テレビ等の表示装置１００４に接続されている。そこで、ユーザは、電子タグ読み書き機能付きＤＶＤ再生装置１００３を使用して上記電子タグ付きＤＶＤ１００２を再生し、動画でテニスのレッスンの内容をテレビ等の表示装置１００４で閲覧することができる。そこで、閲覧した履歴情報が、電子タグ読み書き機能付きＤＶＤ再生装置１００３により、電子タグ付きＤＶＤ１００２の電子タグ１００２Ａへ書き込みすることができる。特に、ユーザは、テニスのレッスンの多くの内容の中でサーブに関して興味を持っており、サーブの部分をスロー再生等により、長時間閲覧したとする。その閲覧履歴情報は、ＤＶＤ再生装置１００３により、上記電子タグ付きＤＶＤ１００２の電子タグ１００２Ａに記録される。
【００４４】
ユーザは、ユーザの自宅１００１にて再生して閲覧した内容に関する実体験サービスを受講するため、閲覧した電子タグ付きＤＶＤ１００２を実体験サービスのフロント１００５に持参する。実体験サービスのフロント１００５においては、電子タグ読み取り装置１００６により電子タグ１００２Ａの情報が読み取られて実体験サービス決定装置１００７に送られ、実体験サービス決定装置１００７で、ユーザが視聴（閲覧）したＤＶＤ１００２とその閲覧履歴情報に応じて、実体験サービスのメニューを自動的に決定する。すなわち、ユーザが視聴（閲覧）したＤＶＤ１００２の電子タグ１００２Ａから電子タグ読み取り装置１００６により閲覧履歴情報を読み取り、読み取った閲覧履歴情報の中からある基準（例えばある時間）以上の閲覧した内容を実体験サービス決定装置１００７の抽出部１００７Ｄで抽出するとともに、当該抽出された内容に対応する実体験のレッスン内容のサービスの部分を、実体験サービス決定装置１００７の抽出部１００７Ｄでメニュー情報蓄積データベース１００７Ｂのメニュー情報から抽出する。そして、抽出されたサービスを基に、ユーザ用の実体験のレッスンを実体験サービス決定装置１００７のメニュー決定部１００７Ｇで作成してユーザに提案する。例えば、ユーザが視聴（閲覧）したＤＶＤ１００２の電子タグから閲覧履歴情報を電子タグ読み取り装置１００６により読み取り、読み取った閲覧履歴情報の中で、テニス初級編のサーブの部分を多く視聴していたことを実体験サービス決定装置１００７の抽出部１００７Ｄで抽出したとする。この場合、テニス初級編のサーブの部分を多く含むようなユーザ用の実体験のレッスンを実体験サービス決定装置１００７のメニュー決定部１００７Ｇで作成して、当該ユーザに提案する。その結果、当該ユーザに対して提案された実体験のレッスンでは、テニス初級編のサーブの部分が多くなっており、ユーザが特にサーブの部分を多くするように要求しなくても、ユーザが自宅１００１にて視聴しイメージトレーニングを行ってきた内容に沿った実体験のサービスであるサーブの練習を施設で行うことが容易に可能になる。また、読み取った閲覧履歴情報又はその中から抽出された閲覧履歴情報から、制御部１００７Ｅにより、ユーザが「サーブ」に対して興味を持っているということを検出することにより、実体験サービスでのユーザの体験内容（ユーザのテニスでの実体験の内容）をテニスコートに設置されたカメラ等（例えば、後述する図１８Ａの撮像カメラ２７０８など）で、自動的に撮影して施設側の撮像情報蓄積データベース１００７Ｃに記録することも可能である。さらに、その撮像して記録された画像を、ユーザの持参した任意のＤＶＤ又は閲覧した電子タグ付きＤＶＤ１００２に、記録部１００７Ｆにより記録することにより、ユーザは自宅１００１にて、電子タグ付きＤＶＤ１００２を再生し又は、電子タグ付きＤＶＤ１００２と別のＤＶＤに記録されたカメラ等の画像をそれぞれ再生して、自分の興味あるコンテンツ（「サーブ」等）について、レッスンの内容と自らの映像を比べることが可能になる。
【００４５】
上記の実体験サービスの内容を、各モジュールに分けて、以下に説明する。
【００４６】
図２Ａでは、図１における自宅１００１でのハードウエア構成、すなわち、電子タグ付きＤＶＤ１００２を再生する装置の一例であるＤＶＤ再生装置１００３のシステム構成の一例を示すものである。図２Ａにおいて、１００２は読み書き可能な電子タグ１００２Ａを装着した電子タグ付きＤＶＤ、１００３は、電子タグ付きＤＶＤ１００２のＤＶＤ記録媒体を再生するＤＶＤ再生機能を有するとともに電子タグ１００２Ａに書き込み可能な電子タグ書き込み部１１０６を備えた電子タグ読み書き機能を有するＤＶＤ再生装置、１００４はＤＶＤ再生装置１００３に接続されて電子タグ付きＤＶＤ１００２の再生画像を表示するテレビ等の表示装置である。
【００４７】
また、図２Ａにおいて、電子タグ付きＤＶＤ再生装置１００３内において、１１０４はＤＶＤ記録媒体１００２を再生するＤＶＤ再生部、１１０５はＤＶＤ再生部１１０４によるＤＶＤ記録媒体１００２の再生・停止・スキップ・スロー再生等を制御するＤＶＤ制御部、１１０６はＤＶＤ制御部１１０５で制御した操作を電子タグ付きＤＶＤ１００２の電子タグ１００２Ａに記録する電子タグ書き込み部である。また、１１０７はＤＶＤ再生部１１０４で再生された画像を表示装置１００４に表示するように表示制御する表示制御部、１１０８はユーザが動画に対してトップメニューを表示させたり再生やスローや早送りや戻しや停止等の制御を電子タグ付きＤＶＤ再生装置１００３のＤＶＤ制御部１１０５に対して行うように指示するために使用するリモコンである。
【００４８】
上記の構成における処理の流れについて説明する。
【００４９】
ユーザは、テニス等のレッスン内容が記録されている電子タグ付きＤＶＤ１００２を購入する。又は、図３に示すように、実体験サービスを提供している会社が運営しているインターネットのホームページで購入する。ここでは、例えば、上端の「テニス」（初級編）ＤＶＤ（電子タグ付き）をクリックなどにより選択して購入する。
【００５０】
なお、電子タグ付きＤＶＤ１００２は、市販の店舗等で購入したＤＶＤの記録媒体に対して別途、購入した電子タグ１００２ＡをＤＶＤのタイトル等を添付する部分に、ユーザが自ら添付することにより作成するようにしてもよい。特に、電子タグ１００２Ａは、非接触でデータの読み書きが可能であるため、厳密な位置調整の必要がなく、工場等での厳密な添付位置の調整の必要がない。
【００５１】
ユーザは、電子タグ読み書き機能付きＤＶＤ再生装置１００３に、購入した電子タグ付きＤＶＤ１００２を挿入する。図４に示すようにＤＶＤ１００２に蓄積されているコンテンツのメニューが表示される。図４に示すように、「テニス（初級編）」のＤＶＤ１００２にはレッスンの内容として、「フォアハンドストローク」、「バックハンドストローク」、「サーブ」、「スピンサーブ」の４種類のレッスンの内容が記録されている。さらに、図６Ａ及び図６Ｂに示すように、各レッスンにおいては、各シーンに対してＩＤ（シーンＩＤ）（例えば、０００１、０００２、０００３等の識別用の連続番号）が付与されている。例えば、図４においてユーザが「サーブ」のレッスンを選択した場合には、図６Ａ及び図６ＢのシーンＩＤ「０３４７」から動画像が再生される。
【００５２】
以降の処理の流れを図５のフローを用いながら説明する。
【００５３】
まず、ステップＳ１４０１において、ＤＶＤ再生装置１００３の現状のステータスを表現するフラグ（Ｆｌａｇ）にＥＮＤが代入されて初期化される。そして、ステップＳ１４０２に進む。
【００５４】
以降、ユーザによってＤＶＤ再生装置１００３で「サーブ」のレッスンが再生されたときについて説明する。
【００５５】
ステップＳ１４０２において、ＤＶＤ再生装置１００３に、リモコン１１０８などの動作命令入力装置を使用してユーザによって「再生」などの制御動作が入力されたか否かがＤＶＤ再生装置１００３の制御部１１０５で判断される。ユーザによって「再生」などの制御動作があったとＤＶＤ再生装置１００３の制御部１１０５で判断された場合には、ステップＳ１４０３へ進む。「再生」などの制御動作が無いと判断された場合には、「再生」などの制御動作があったと判断されるまで待つ。
【００５６】
次いで、ステップＳ１４０３において、「再生」などの制御動作があった場合であって、かつ、その制御動作が、アルゴリズムを終了するための主電源が切られる操作指示であるか否かをＤＶＤ再生装置１００３の制御部１１０５で判断する。ＤＶＤ再生装置１００３の制御部１１０５で、上記制御動作が、主電源が切られる操作指示で無いと判断された場合には、ステップＳ１４０４へ進む。上記制御動作が、主電源が切られる操作指示であると判断された場合には、主電源を切って、ＤＶＤの再生に関する一連の動作を終了する。
【００５７】
次いで、ステップＳ１４０４において、停止中か否か、すなわち、Ｆｌａｇ＝Ｅｎｄであるか否かをＤＶＤ再生装置１００３の制御部１１０５で判断する。ＤＶＤ再生装置１００３の制御部１１０５で、Ｆｌａｇ＝Ｅｎｄである（停止中である）と判断された場合には、ステップＳ１４０５へ進む。ＤＶＤ再生装置１００３の制御部１１０５で、Ｆｌａｇ＝Ｅｎｄで無い（停止中ではない）と判断された場合には、ステップＳ１４０７へ進む。
【００５８】
次いで、ステップＳ１４０５において、「再生」の操作の開始時刻として、「サーブ」のレッスンの最初のシーンのシーンＩＤ（０３４７）と、時刻２００３年６月２４日９時３１分１５秒（２００３／０６／２４／０９／３１／１５）と、操作内容である「再生」（Ｐｌａｙ）の情報を記録部１００７Ｆにより電子タグ１００２Ａに記録して、ステップＳ１４０６に進む。
【００５９】
次いで、ステップＳ１４０６において、Ｆｌａｇ＝ＳＴＡＲＴ（再生中である）として、ステップＳ１４０２へ戻る。
【００６０】
次いで、ステップＳ１４０２において、ユーザによる、何らかの制御操作があるまで、ステップＳ１４０２を繰り返す。
【００６１】
一方、ユーザによって、再生動作の「停止」操作があった場合の処理の流れについて説明する。
【００６２】
すなわち、ステップＳ１４０２において、ユーザによって、再生動作の「停止」の制御動作があったため、ステップＳ１４０３へ進む。
【００６３】
次いで、ステップＳ１４０３において、再生動作の「停止」の制御動作は、主電源が切られる操作指示ではないため、ステップＳ１４０４へ進む。
【００６４】
次いで、ステップＳ１４０４において、再生動作中はＦｌａｇ＝ＳＴＡＲＴであるため、ステップＳ１４０７へ進む。
【００６５】
次いで、ステップＳ１４０７において、終了時刻として、現在再生されているシーンのシーンＩＤ（０６３８）と、時刻２００３年６月２４日９時５２分１８秒（２００３／０６／２４／０９／５２／１８）  と、操作内容である「停止」（Ｓｔｏｐ）との情報を記録部１００７Ｆにより電子タグ１００２Ａに記録して、ステップＳ１４０８に進む。
【００６６】
次いで、ステップＳ１４０８において、Ｆｌａｇ＝ＥＮＤ（停止中である）として、ステップＳ１４０２へ戻る。
【００６７】
以上の結果、例えば、シーンＩＤ（０３４７）で、時刻２００３年６月２４日９時３１分１５秒に再生（Ｐｌａｙ）開始したのち、シーンＩＤ（０６３８）で、時刻２００３年６月２４日９時５２分１８秒に停止（Ｓｔｏｐ）した場合に、電子タグ１００２Ａに記録部１００７Ｆにより記録される情報は、図７の１〜２行目のようになる。すなわち、図７の第１行目では、シーンＩＤ０３４７が２００３年６月２４日９時３１分１５秒に「再生」操作がなされたことを示している。また、第２行目では、シーンＩＤ０６３８で２００３年６月２４日９時５２分１８秒に「停止」操作がなされたことを示している。このように、ユーザが行った操作が、ＤＶＤ１００２の記録媒体に添付された電子タグ１００２Ａに書き込まれる。また、ＤＶＤ１００２のタイトルを表現するＤＶＤ１００２のＩＤ（識別するための番号や記号など）（例えば、「ＤＶＤ  ＩＤ  ００１」）も電子タグ１００２Ａに記録可能である。電子タグ１００２Ａが、あらかじめ添付されたＤＶＤを購入した場合には、工場出荷時にＤＶＤＩＤの情報が記録された電子タグが添付されている。また、ＤＶＤにユーザが電子タグを添付した場合には、ＤＶＤ再生装置を用いてＤＶＤを再生するときに新たに電子タグにＤＶＤＩＤの情報を記録してもよい。
【００６８】
ここで、記録媒体に対する操作履歴情報を、ＤＶＤ記録媒体１００２でなく、電子タグ１００２Ａに書き込む利点としては、
１）履歴情報を電子タグ１００２Ａに記録することにより、ＤＶＤ再生装置がなくても、ＤＶＤ再生装置より安価な電子タグ読み取り装置があれば、操作履歴情報を読み取ることができること、
２）履歴情報を電子タグ１００２Ａに記録することにより、他のユーザがそのＤＶＤを利用するときには、その電子タグ１００２Ａを新たに貼り替えるだけで済むが、ＤＶＤ等の記録媒体に履歴情報を記録してしまうと、ＤＶＤ録画再生装置にかけ、新たに、操作履歴情報蓄積データ領域を検出し、履歴情報を示すポインターを消去する必要があり煩雑であること、
３）電子タグ１００２Ａに記録することにより、無線で履歴情報のデータを電子タグ読み取り装置で読み取ることができるようになるため、ＤＶＤ記録媒体を持ったユーザが電子タグ読み取り装置の前を通るだけで、上記データを読み取ることが可能になること、  等の利点がある。
【００６９】
次に、ユーザが、電子タグ付きＤＶＤ１００２を、実体験サービスを受ける施設のフロント１００５に持参したときの処理の流れについて説明する。
【００７０】
実体験サービスを受け付ける施設のフロント１００５の実体験サービス決定装置１００７のより具体的なシステム構成を図８に示す。
【００７１】
図８において、１００２はユーザの視聴履歴情報が蓄積された電子タグ１００２Ａが添付された電子タグ付き記録媒体、１００６は電子タグ付き記録媒体１００２の電子タグ１００２Ａに記録されている情報を読み取る電子タグ読み取り装置、１００７は電子タグ読み取り装置１００６により電子タグ１００２Ａから読み取った、電子タグ付き記録媒体１００２におけるユーザのＤＶＤ１００２のコンテンツの視聴履歴情報からユーザに体験させる内容を決定する実体験サービス決定装置（言い換えれば、実体験サービススケジュール自動設計部）である。なお、実体験サービス決定装置１００７は、パーソナルコンピュータ等のコンピュータにより実現することができる。
【００７２】
実体験サービス決定装置１００７には、図２Ｂに示す構成に加えて以下の構成を備えている。１７０４は販売されているＤＶＤのコンテンツに関してレッスンの内容とそのシーンＩＤの対応表が蓄積されているコンテンツ対応表データベース、１７０５はコンテンツ対応表データベース１７０４と電子タグ１００２Ａにそれぞれ蓄積されている視聴履歴情報の対応情報（例えば、記録媒体ＩＤ情報（記録媒体を識別するための番号や記号などの情報）とコンテンツＩＤ情報（コンテンツを識別するための番号や記号などの情報）と対応情報）を検出する対応検出部、１７０６は対応検出部１７０５で検出されたユーザの視聴シーンの履歴情報からユーザが重点的に視聴していた内容を算出する重点視聴度算出部、１００７Ｇは重点視聴度算出部１７０６で算出された度合いから実体験サービスの内容を決定するメニュー決定部（言い換えればスケジュール設定部）、１００７Ｈはメニュー決定部１７０７の結果を表示機器に表示する表示部である。対応検出部１７０５と重点視聴度算出部１７０６とで抽出部１００７Ｄの一例を構成している。
【００７３】
なお、図８では電子タグ読み取り装置１００６でユーザから提示された電子タグ付きＤＶＤ１００２の電子タグ１００２Ａの内容を読み込んだが、図９に示すように、電子タグ１００２Ａの通信距離を伸ばしかつゲート１００５Ａに電子タグ読み取り装置１００６を設置することにより、ユーザがフロント１００５に至るまでにゲート１００５Ａを通るだけで視聴履歴情報の内容を読み取るようなハードウエア構成でもよい。これにより、ユーザは持参したＤＶＤ１００２をフロントで提示することなく即座に実体験のスケジュールを取得することが可能になる。
【００７４】
上記の処理の流れを図１０に示す。図８のコンテンツ対応表データベース１７０４には、図１１に示すようなＤＶＤ１００２に蓄積されているコンテンツの内容と、各コンテンツにおけるレッスンの内容と、そのシーンのシーンＩＤに関する情報が蓄積されている。
【００７５】
まず、ステップＳ１９０１において、ＤＶＤ１００２のコンテンツＩＤからレッスンＩＤ（レッスンを識別するための番号や記号など）とシーンＩＤの対応関係情報を対応検出部１７０５により抽出して、ステップＳ１９０２に進む。このステップＳ１９０１では、一例として、ユーザがテニス（初級編）のＤＶＤ１００２を持参したため、コンテンツ対応表データベース１７０４の図１１の表より、レッスンＩＤとして「フォアハンドストローク」、「バックハンドストローク」、「サーブ」、「スピンサーブ」の４つのレッスンＩＤがある。
【００７６】
次いで、ステップＳ１９０２において、視聴履歴情報に基づき、上記したように、レッスンＩＤとしてシーンＩＤの間隔が６４０（＝９８７−３４７）と最も長い「サーブ」を選択して、ステップＳ１９０３に進む。なお、ここでは、レッスンＩＤとして「サーブ」を選択したが、どのレッスンＩＤを選択したとしても、図１０のフローチャートの結果は同じである。
【００７７】
次いで、ステップＳ１９０３において、選択されたレッスンＩＤに対して重要視聴度を重点視聴度算出部１７０６により計算したのち、ステップＳ１９０４に進む。このステップＳ１９０３では、例えば、図７のように電子タグ１００２Ａに蓄積されているデータ（情報）から、「サーブ」に関する視聴時間とそのときのモード（通常再生・スロー再生・早送り再生等）を重点視聴度算出部１７０６で計算する。その結果、図１４の表が重点視聴度算出部１７０６により作成される。例えば、図７の表の第１行においては、ＤＶＤＩＤ００１（テニス（初級編））のシーンＩＤ０３４７からシーンＩＤ０６３８までのシーンＩＤは、図１１の表より、「サーブ」のレッスンＩＤである。また、図７の表より、９時３１分１５秒から９時５２分１８秒の間の１９分３秒（１１４３秒）は、レッスンＩＤ「サーブ」を通常再生で閲覧していたことがわかる（図１２参照）。また、図７の表より、９時５２分３０秒から９時５８分４４秒の間の６分１４秒（３７４秒）は、レッスンＩＤ「サーブ」をスロー再生で閲覧していたことがわかる（図１２参照）。
【００７８】
次に、あらかじめ作成されている図１３の表より重点視聴係数（ｒ）を用いて、レッスンＩＤに対して重点視聴度を計算する。重点視聴度は、
Σ（レッスンＩＤの視聴時間）×ｒ（重点視聴係数）
で計算する。レッスンＩＤ「サーブ」の場合は、上記例では、通常再生が１１４３秒で、通常再生の重点視聴係数が１．０であるから（１１４３×１）となり、スロー再生が３７４秒で、スロー再生の重点視聴係数が２．０であるから（３７４×２）となる。よって、上記例での重点視聴度は、両者の合計である、（１１４３×１）＋（３７４×２）＝１８５１で計算される。その結果、図１４のレッスンＩＤ「サーブ」の部分の重点視聴度が１８５１として求まる。
【００７９】
なお、各レッスンのシーンＩＤに対して、視聴の重要度をあらかじめ設定しておくことも可能である。例えば、「サーブ」のレッスンで重要なシーン（テニス初級編の「サーブ」においては、トスの位置、図６Ａ及び図６Ｂの「サーブ」のシーンＩＤ０３４８）にチェックがされており、重点視聴度を計算する場合に、シーン毎に重みをつけて計算してもよい。
【００８０】
次いで、図１０のステップＳ１９０４において、選択されたレッスンＩＤが最後のレッスンＩＤであるか否かが、対応検出部１７０５で判断される。最後のレッスンＩＤでない場合には、ステップＳ１９０５へ進む。選択されたレッスンＩＤが最後のレッスンＩＤである場合には、終了する。
【００８１】
次いで、ステップＳ１９０５において、対応検出部１７０５により、選択されていないレッスンＩＤの選択が行われると、ステップＳ１９０３へ戻る。一例として、選択されていないレッスンＩＤとして「バックハンドストローク」が選択されて、ステップＳ１９０３へ戻る。
【００８２】
次いで、ステップＳ１９０３において、「サーブ」のときと同様に重点視聴度を重点視聴度算出部１７０６により計算する。その結果、図１４に示されるように、「バックハンドストローク」の部分の重点視聴度が求まる。
【００８３】
以上の処理の流れの結果、図１２の各レッスンＩＤに対する重点視聴度の値が図１４に示されるように求まる。
【００８４】
図１０の処理の流れにより決定された重点視聴度を基に、メニュー決定部１００７Ｇにより、実体験であるレッスンのメニューを決定する流れについて、図１５を用いて説明する。
【００８５】
一般に、テニスのレッスンは複数人で行うことが多い。そこで、複数人で行う場合、実体験サービスのメニューを更新する方法について、以下に説明する。
【００８６】
まず、ステップＳ２４０１において、ここでは、４人のユーザＡ，Ｂ，Ｃ，Ｄがいる場合について述べる。そこで、ステップＳ２４０２へ進む。複数人で行わない場合にはステップＳ２４０３に進む。
【００８７】
次いで、ステップＳ２４０２において、サービス参加者全員の重点視聴度を計算して、ステップＳ２４０３に進む。このステップＳ２４０２では、図１６の左側及び中央に示すように、ユーザＡ，Ｂ，Ｃ，Ｄの４名のユーザの重点視聴度が与えられた場合に、それらの和をとり、実体験をするユーザ全体の重点視聴度を計算する。その結果、図１６の右の表が作成される。
【００８８】
次いで、ステップＳ２４０３において、重点視聴度をもとに、実体験を行うメニュー例えば実体験サービスの時間を調整する。ここでは、前のステップＳ２４０２において、図１６の右の表が計算された結果、レッスンＩＤ「サーブ」を重点的に視聴していたユーザが多く存在したことがわかる。そこで、図１７に示すように、標準メニューでは、図１７の左のメニュー（調整前実体験メニュー）であったが、「サーブ」の部分の体験時間を多くし、その他の時間を削減する新たなメニュー（調整後実体験メニュー）を生成する。
【００８９】
以上の処理の流れにより、実体験を行うユーザの家庭でのコンテンツの閲覧時間に応じて、実体験の内容を適応させることが可能になる。
【００９０】
なお、この実施形態及び以下の実施形態では、重点視聴度が高い領域を視聴重点領域の一例としている。
【００９１】
なお、本実施形態においては、通常再生またはスロー再生をされた時間の情報を用いて、重点視聴度を重点視聴度算出部１７０６で計算している。さらに、ユーザが重点的に視聴する場合には、同じ部分を繰り返し閲覧することがある。例えば、テニスのレッスンにおいて「サーブ」が上手くなりたいユーザは、「サーブ」のシーンを繰り返し視聴する。そこで、ＤＶＤ再生装置として、後述する図２６のような視聴履歴情報蓄積機能付きＤＶＤ再生装置３５０２を使用して、視聴履歴情報蓄積手段の一例としての視聴履歴情報蓄積部３５０６（後述する図２６参照）に蓄積されている履歴情報から、繰り返し視聴している部分又は閲覧されている頻度の情報を用いて重点視聴領域（視聴重点領域）を検出する視聴重点領域検出手段の一例としての重点視聴度計算部３５１２で当該部分を視聴重点領域として判断してもよい。これにより、ユーザが繰り返し閲覧しているレッスンに関する体験を重点的に行うことが可能になる。
【００９２】
また、ユーザにとって重点的に閲覧するシーンがある場合には、ＤＶＤの再生を行ったときに、興味のない部分をスキップさせ、興味のある部分から再生することが多い。そこで、ユーザに視聴履歴から、ＤＶＤの再生が開始されてから、スキップ後に、通常再生が開始された場所を視聴重点領域として判断してもよい。同様に、ＤＶＤの再生を終了した後、再び、興味のあるところを閲覧するために、最初まで戻さずに、途中から再び再生することがある。この再生開始場所を含むシーンを重点視聴部分すなわち視聴重点領域として判断してもよい。すなわち、視聴履歴情報蓄積手段の一例としての視聴履歴情報蓄積部３５０６に蓄積されている履歴情報から、ユーザの視聴対象情報の再生開始場所を用いて視聴重点領域とする視聴重点領域検出手段の一例としての重点視聴度計算部３５１２で視聴重点領域を判断してもよい。これにより、ユーザが普段、再生を開始しているレッスンに関する体験を重点的に行うことが可能になる。
【００９３】
また、テニス等の実体験サービスを開始する前日に、貸し出されていたＤＶＤを再生して手本となるシーンを確認することがある。そこで、実体験サービスが開始される時刻（日付）に最も近い時刻（日付）に再生していた部分を重点視聴部分すなわち視聴重点領域とすることもできる。これにより、ユーザがレッスン前にＤＶＤで確認している内容を重点的に実体験で行う練習メニューを作成することが可能になる。すなわち、視聴履歴情報蓄積手段の一例としての視聴履歴情報蓄積部３５０６に蓄積されている履歴情報から、ユーザの視聴対象情報の再生された時刻を用いて視聴重点領域を検出する視聴重点領域検出手段の一例としての重点視聴度計算部３５１２で視聴重点領域を判断してもよい。さらには、視聴履歴情報蓄積手段の一例としての視聴履歴情報蓄積部３５０６に蓄積されている履歴情報から、体験サービスを行う日時との差の情報を用いて視聴重点領域を検出する視聴重点領域検出手段の一例としての重点視聴度計算部３５１２で視聴重点領域を判断してもよい。これにより、ユーザが体験サービスを行う直前に閲覧していたシーンを重点的に体験することができ、練習の効率を向上させることが可能になる。
（第２実施形態）
第１実施形態では、複数のユーザが受ける実体験サービスのグループ毎の適応例について述べている。本発明は、複数のユーザに限らず、個人の場合でも、同様の実体験サービスを実現することができる。
【００９４】
さらに、ＤＶＤ等の記録媒体が書き換え可能な記録媒体の場合には、その記録媒体を利用した、さらなる付加価値サービスも可能になる。
【００９５】
第２実施形態では、第１実施形態にかかる図２のユーザの家庭におけるシステム構成と処理の流れは同じであるため、説明を省略する。なお、図８における実体験サービスが実行される場所（施設）でのシステム構成は、第１実施形態の実体験サービス決定装置１００７のコンテンツ対応表データベース１７０４と抽出部１００７Ｄとに代えて、図１８Ａ及び図１８Ｂに示される実体験映像蓄積部２７０３を備えるように変更する。すなわち、図１８Ａ及び図１８Ｂにおいて、１００２はユーザの視聴履歴情報が蓄積された電子タグ１００２Ａが添付された電子タグ付き記録媒体、２７０２は電子タグ読み取り装置１００６と同様に電子タグ１００２Ａに記録されている情報を読み取る電子タグ読み取り装置、２７０３は上記施設のフロントに備えられ、かつ、電子タグ読み取り装置２７０２に接続されて電子タグ読み取り装置２７０２により電子タグ１００２Ａから読み取られたユーザのＤＶＤ１００２のコンテンツの視聴履歴情報からユーザの体験する映像を蓄積する実体験映像蓄積部である。なお、実体験映像蓄積部２７０３は、パーソナルコンピュータ等のコンピュータにより実現することができる。
【００９６】
２７０４は販売されているＤＶＤのコンテンツに関してレッスンの内容とそのシーンＩＤの対応表が蓄積されているコンテンツ対応表データベース、２７０５はコンテンツ対応表データベース２７０４と電子タグ１００２Ａに蓄積されている視聴履歴情報の対応情報（例えば、記録媒体ＩＤ情報とコンテンツＩＤ情報と対応情報）を検出する対応検出部、２７０６は対応検出部２７０５で検出されたユーザの視聴シーンの履歴情報からユーザが重点的に視聴していた内容を算出する視聴重点領域検出手段の一例としての重点視聴度算出部、２７０７は重点視聴度算出部２７０６で算出された重点度合いから実体験サービスの撮影制御スケジュールを設定する撮影制御スケジュール設定部、２７０８は、体験サービスで利用される機器の一例であって、テニスコート２７０１等の実体験が行われる場所（施設）での映像を撮像するための撮像カメラ、２７０９は撮影制御スケジュール設定部２７０７で設定された撮影制御スケジュールに基づき撮像カメラ２７０８を制御する撮影制御部、２７１０は撮像カメラ２７０８と撮影制御部２７０９で撮影した映像を、ユーザの希望するＤＶＤなどの記録媒体１００２に記録する撮影内容記録部である。
【００９７】
よって、実体験映像蓄積部２７０３は、コンテンツ対応表データベース２７０４と、対応検出部２７０５と、重点視聴度算出部２７０６と、撮影制御スケジュール設定部２７０７と、撮影制御部２７０９と、撮影内容記録部２７１０とを備えて、制御部１００７Ｅにより動作制御されるように構成している。
【００９８】
上記実体験映像蓄積部２７０３を備える実体験サービス決定装置１００７の処理の流れにおいて、ユーザが持参した電子タグ付き記録媒体１００２から、各ユーザの重点視聴度を求める処理の流れは、第１実施形態と同様であるため、ここでは説明を省略する（図１０参照）。
【００９９】
重点視聴度が計算された後の処理の流れを図１９に示す。なお、この図１９の処理の流れは、第１実施形態の図１５の処理の流れに代わるものである。
【０１００】
図１９において、図１４に示された第１実施形態のユーザの重点視聴度を用いて、具体的な流れについて説明する。
【０１０１】
まず、ステップＳ２８０１において、図１４において最も重点視聴度が高いレッスンＩＤ「サーブ」が撮影制御スケジュール設定部２７０７により選択され、図２０に示すように、撮影制御スケジュール設定部２７０７により、実体験メニューの「サーブ練習」がチェックされる。この選択は、１つである必要はなく、上位の複数個のメニューを選択してチェックしてもよい。
【０１０２】
次いで、ステップＳ２８０２において、実体験で行われる１分前か否かが撮影制御部２７０９により判断されて、１分前であれば、ステップＳ２８０３へ進む。具体的には、実体験メニューによれば、「サーブ練習」が実体験で行われるのは、実体験が始まってから３５分後から４５分後の間である。そこで、実体験の１分前である３４分後になったときに、ステップＳ２８０３へ進む。
【０１０３】
次いで、ステップＳ２８０３において、撮影制御部２７０９により所定のカメラ２７０８によるユーザなどの練習風景の映像の録画が開始される。あらかじめ、サーブ練習が行われる場所が決まっている場合には、その場所を撮影するカメラ２７０８のみが録画動作を始めて、ステップＳ２８０４に進む。
【０１０４】
次いで、ステップＳ２８０４において、チェックされた実体験が終了する時刻を過ぎたか否かが撮影制御部２７０９により判断されて、過ぎていればステップＳ２８０５へ進む。具体的には、チェックされた「サーブ練習」が終了する時刻（４５分後）になると、ステップＳ２８０５へ進む。
【０１０５】
次いで、ステップＳ２８０５において、撮影制御部２７０９によりステップＳ２８０３で開始した録画を終了する。
【０１０６】
上記の処理の終了後に、ユーザが持参したＤＶＤ等の記録媒体１００２に撮影内容記録部２７１０により、録画した実体験の画像を蓄積する。
【０１０７】
ユーザは、電子タグ付き記録媒体１００２を自宅に持ち帰り、ＤＶＤ再生装置１００３で再生することで図２１に示すように、レッスンの動画（図２１の左側）と実体験の動画（図２１の右側）を簡単に見比べることが可能になる。
【０１０８】
また、実体験サービスを録画する際に、実体験サービスの映像情報とは別に、録画する機器ＩＤや録画した場所に関する情報が入力することができる。そこで、図２２に示すように、あらかじめＤＶＤ等の記録媒体１００２に蓄積されている動画に対して、実体験の動画が蓄積されているシーンでは、実体験サービスを行っている業者が録画した部分に対応する場面の場合には、「体験映像」というボタンがテレビ等のディスプレイ（表示装置）１００４に表示され、そのボタンをユーザがリモコン１１０８などにより選択することにより、実体験での映像を確認することが可能になる。この「体験映像」というボタンは、例えば、実体験サービスを行っている業者が、録画時にフラグを書き込むことにより、それを再生側で検出した場合には、「体験映像」ボタンを表示するようにすることができる。
【０１０９】
図２１、図２２に示すようにテレビ等のディスプレイ（表示装置）１００４を用いて、ユーザが視聴することにより、再び、実体験サービスを受講するときには、その視聴度合いに応じて、さらに、レベルの高いクラスでの受講を勧める等の機能を実現できる。このように、動画視聴と実体験を連携させたサービスを実現することができる。
（第３実施形態）
第２実施形態では、テニスに関するＤＶＤ記録媒体１００２の視聴履歴情報をＤＶＤ記録媒体１００２に添付された電子タグ１００２Ａに蓄積し、そのユーザの実体験におけるレッスンの内容を蓄積する際、ユーザが興味を持っている実体験映像を蓄積する手法について述べた。しかしながら、記録媒体の視聴履歴情報は必ずしも電子タグに蓄積する必要はなく、ＤＶＤ記録媒体１００２が書き込み可能であれば、その記録媒体１００２に視聴履歴情報を書き込むことも可能である。第３実施形態では、記録媒体１００２に書き込む例について説明する。
【０１１０】
図２３にＤＶＤ記録媒体に視聴履歴情報を書き込むシステム構成の例を示す。
【０１１１】
図２３のシステムは、基本的に図２のシステム構成と同じであるため、異なる部分のみについて説明する。図２３において、３２０１は蓄積機能を持つＤＶＤ記録媒体であり、３２０２は、視聴装置の一例であって、ＤＶＤ記録媒体３２０１の再生機能だけでなく履歴情報を蓄積する機能を持つ履歴情報蓄積機能付きＤＶＤ再生装置、３２０４は履歴情報蓄積機能付きＤＶＤ再生装置３２０２内に配置されかつＤＶＤ記録媒体３２０１を再生するＤＶＤ再生部、３２０５はＤＶＤ再生装置３２０２内に配置されかつＤＶＤ再生部３２０４によるＤＶＤの記録媒体３２０１の再生・停止・スキップ・スロー再生等を制御するＤＶＤ制御部、３２０６はＤＶＤ再生装置３２０２内に配置されかつＤＶＤ制御部３２０５で制御された操作をＤＶＤ３２０１に記録するＤＶＤ記録部である。また、１１０７はＤＶＤ再生部３２０４で再生された画像を表示装置１００４に表示するように表示制御する表示制御部、１１０８はユーザが動画に対してトップメニューを表示させたり再生やスローや早送りや戻しや停止等の制御を電子タグ付きＤＶＤ再生装置３２０２のＤＶＤ制御部３２０５に対して行うように指示するために使用するリモコンである。このシステムにより、第１実施形態では視聴履歴情報がＤＶＤ記録媒体１００２に添付された電子タグ１００２Ａに蓄積されていたものが、ＤＶＤ記録媒体３２０１にＤＶＤ記録部３２０６により直接記録することができる。
【０１１２】
次に、第３実施形態では、実体験を行う場所（施設）がテニスコートのように限定された場所ではなく、さらに広い範囲での実体験が想定される場合の例について述べる。例えば、図２４に示されるように、ゴルフの練習場の施設のように、ドライバーやアイアン等の打ちっぱなし、サンドエッジを利用したバンカーショット（図２４のバンカー練習場を参照）、パターを利用したパッティング等を行う場合、それぞれ実体験できる場所が一定個所でない場合がある。すなわち、ドライバーやアイアン等の打ちっぱなしを図２４の打ち上げ練習場又は打ち下ろし練習場で行い、バンカーショットを図２４のバンカー練習場で行い、パッティングをパター練習場で行う場合がある。そこで、各場所に実体験を撮影するためのカメラ（体験サービスで利用される機器の一例）３３０８を設置し、ユーザが持参したＤＶＤ記録媒体１００２又は３２０１に蓄積されている視聴履歴情報を用いてカメラ３３０８を制御し、ユーザにとって必要な部分のみを撮影し、ＤＶＤ記録媒体１００２又は３２０１に蓄積するシステムが図２４に示すように構成できる。
【０１１３】
図２４において、１００２又は３２０１はゴルフのレッスン映像の視聴履歴情報が蓄積されたＤＶＤ記録媒体、３３０２はユーザが持参したＤＶＤ１００２又は３２０１の視聴履歴情報を読み込みかつその内容に応じたカメラ制御を行う実体験映像蓄積装置、３３０３は実体験映像蓄積装置３３０２に備えられかつＤＶＤ１００２又は３２０１に蓄積された視聴履歴情報を読み込む視聴履歴情報読み取り装置、２７０４は実体験映像蓄積装置３３０２に備えられかつＤＶＤ１００２又は３２０１のコンテンツとその内容の対応関係情報が蓄積されているコンテンツ対応表データベース、２７０５は実体験映像蓄積装置３３０２に備えられかつコンテンツ対応表データベース２７０４と視聴履歴情報読み取り装置３３０３で読み込まれたユーザの視聴履歴情報とから、ユーザがどのシーンを閲覧していたかを判定する記録媒体ＩＤコンテンツＩＤ対応検出部、２７０６は実体験映像蓄積装置３３０２に備えられかつ上記ユーザの視聴履歴情報からどのレッスンを重点的に視聴していたかを計算する重点視聴度計算部、３３０７は重点視聴度計算部２７０６に接続されかつ各練習場においてユーザを判別するユーザ識別部、３３０８は各練習場で設置されている実体験撮影用カメラ、３３０９は、体験サービスで利用される機器の制御を設定する機器制御設定手段の一例であって、実体験撮影用カメラ３３０８とユーザ識別部３３０７とに接続されかつユーザ識別部３３０７で該当ユーザであると判断された場合に、カメラ３３０８を制御する撮像制御手段の一例としてのカメラ制御部、３３１０はカメラ制御部３３０９に接続されかつカメラ制御部３３０９で制御されてカメラ３３０８で撮影された映像をネットワーク等を使って遠隔で一括的に蓄積を行う撮影内容記録部、３３１１は撮影内容記録部３３１０に接続されかつ撮影内容記録部３３１０で蓄積された映像をユーザが持参したＤＶＤ記録媒体１００２又は３２０１に書き込む記録媒体記録手段の一例としての撮影内容書き込み部である。
【０１１４】
図２４、ユーザ識別部３３０７は、例えば、ユーザが施設を利用するためのＩＣカード等、本人が特定できる記録媒体例えばプリペイドカード３３０７Ａを各練習場において挿入できる装置例えばＩＣカード挿入装置３３０７Ｂを設置することで、該当ユーザか否かを判断することができる（図２５参照）。
【０１１５】
なお、ＤＶＤ記録媒体１００２又は３２０１の視聴履歴情報から重点視聴度を計算する処理については、第２実施形態と同様にして計算することが可能である。重点視聴度が計算されると、ユーザが重点的に視聴していたレッスン（例えば、バンカーショット）が決定されるため、ユーザがバンカー練習場に入ったことがユーザ識別部３３０７で識別できれば、カメラ制御部３３０９で制御されてカメラ３３０８で撮影を開始することができる。撮影内容を、ユーザが持参したＤＶＤ記録媒体１００２又は３２０１に書き込みことにより、第２実施形態のテニスの例と同様に、図２１、図２２に示すような閲覧が可能になる。
（第４実施形態）
第１実施形態、第２実施形態では、ユーザが電子タグ付きのＤＶＤ記録媒体１００２を実体験サービスのフロントに持参することでシステムが実現されている。第４実施形態では、フロントに持参することなく、ネットワークを介して、ユーザの自宅での視聴履歴情報から実体験サービスをユーザに合わせるシステムについて述べる。
【０１１６】
図２６において、３５０１はレッスン等の映像が蓄積されたＤＶＤ記録媒体、３５０２はモデムやルーターを介して外部のネットワークに接続されている視聴履歴情報蓄積機能付きＤＶＤ再生装置、３５０３は視聴履歴情報蓄積機能付きＤＶＤ再生装置３５０２によって再生された映像をテレビ等の表示装置１００４に表示するように表示制御する表示制御部、３５０４はＤＶＤ記録媒体３５０１の再生をするＤＶＤ再生部、３５０５はＤＶＤ３５０１の再生を行うＤＶＤ再生部３５０４の再生動作を制御するＤＶＤ制御部、３５０６はＤＶＤ制御部３５０５で制御されたユーザの視聴履歴情報（ＤＶＤＩＤ、レッスンＩＤ、シーンＩＤ等の再生内容）を蓄積する視聴履歴情報蓄積手段の一例としての視聴履歴情報蓄積部、３５０７はＤＶＤ再生装置３５０２を外部のネットワーク３５０９に接続するホームゲートウエイ、３５０８は実体験サービスのフロント等に設置されているパーソナルコンピュータなどにより実現できる実体験スケジュール自動設計装置、３５０９は実体験スケジュール自動設計装置３５０８とユーザ宅のホームゲートウエイ３５０７を接続する公衆ネットワーク、３５１０はＤＶＤ記録媒体３５０１に蓄積されているコンテンツとその内容の対応関係情報が蓄積されているコンテンツ対応表データベース、３５１１は公衆ネットワーク３５０９とコンテンツ対応表データベース３５１０とに接続されかつコンテンツ対応表データベース３５１０内の情報と視聴履歴情報蓄積部３５０６から公衆ネットワーク３５０９を介して取得したユーザの視聴履歴情報との対応関係情報を検出する記録媒体ＩＤコンテンツＩＤ対応検出部、３５１２は記録媒体ＩＤコンテンツＩＤ対応検出部３５１１に接続されかつユーザの視聴履歴情報からユーザが重点的に視聴していた部分を計算する視聴重点領域検出手段の一例としての重点視聴度計算部、３５１３は重点視聴度計算部３５１２に接続されかつ重点視聴度計算部３５１２で計算された視聴度から実体験のスケジュールを決定する体験サービス内容設定手段の一例としてのスケジュール設定部、３５１４はスケジュール設定部３５１３に接続されかつスケジュール設定部で設定されたスケジュールを、表示装置の画面に表示又はプリントアウトなどの出力を行うスケジュール表示部である。
【０１１７】
以上の構成により、ネットワーク３５０９を介してユーザ宅の視聴履歴情報から実体験サービスの内容を自動的に設定することが可能になる。処理の流れに関しては、第１実施形態と同様の処理で実現ができる。
【０１１８】
これにより、ユーザはＤＶＤ記録媒体３５０１を実体験サービスのフロントに持参しなくても、ユーザに合った実体験サービスのスケジュールを自動的に設定することが可能になる。
【０１１９】
また、第２実施形態の内容をネットワークを介して実現することも可能である。図２７にそのシステム構成を示す。図２７のシステム構成は、基本的に図２６のシステム構成と同様であるため、異なる部分についてのみ説明する。図２７において、３６０２は視聴履歴情報を蓄積可能な機能を有する視聴履歴情報蓄積機能付きＤＶＤ再生装置、３６０８はサーバー側のコンピュータ、又はネットワークを介して実体験サービスのフロント等に設置されているパーソナルコンピュータなどにより実現できる実体験スケジュール自動設計装置、３６１３は重点視聴度計算部３５１２の重点視聴度から実体験サービスを撮影するスケジュールを決定する撮影制御スケジュール設定部、３６１４は、体験サービスで利用される機器の制御を設定する機器制御設定手段の一例であって、撮影制御スケジュール設定部３６１３で設定されたスケジュールをもとに実体験サービスを撮影するカメラ２７０８又は３３０８を制御する撮像制御手段の一例としての撮影制御部、３６１５は撮影制御部３６１４で制御されてカメラ２７０８又は３３０８で撮影された映像を記録する撮影内容記憶部、３６１６は視聴履歴情報蓄積機能付きＤＶＤ再生装置３６０２に備えられかつ実体験サービスの映像を蓄積した撮影内容記憶部３６１５の映像を公衆ネットワーク３５０９を介して、さらに、ホームゲートウエイ３５０７を介してＤＶＤ３５０１に蓄積するＤＶＤ蓄積部である。
【０１２０】
以上の構成により、ネットワーク３５０９を介してユーザ宅の視聴履歴情報から実体験の映像を家庭内のＤＶＤ再生装置３６０２で、図２１、図２２のように確認することができるようになる。この効果は、第２実施形態と同様である。
（第５実施形態）
第１実施形態では、図３に示すようにＤＶＤ等のコンテンツを販売する業者と、実体験サービスを実施している業者が同一の場合について記載している。しかしながら、コンテンツを販売する業者と、実体験サービスを実施する業者が異なる場合がある。このような場合には、自らの興味のある実体験サービスを、どこで実施しているかユーザがわからないことがある。
【０１２１】
そこで、第５実施形態では、図３に示すようなホームページでＤＶＤコンテンツを購入した場合に、どこで、ユーザの興味のあるサービスが実施されているかを知る方法について述べる。図２８にＤＶＤ再生装置３７０２にＳＤカードスロットが付属している機器の構成例を示す。なお、第５実施形態では、第１実施形態とは異なり、ＤＶＤコンテンツの視聴履歴情報に関する情報を第１実施形態では、電子タグに記録していたものを、視聴対象情報が記録されたＤＶＤなどの記録媒体とは別に携帯可能な記録媒体例えばＳＤカード３７０９に、ＤＶＤ再生装置３７０２のＳＤカード書き込み部３７１０により記録するように変形したものである。
【０１２２】
さらに、第１実施形態では電子タグに視聴履歴情報の情報だけを蓄積していたが、第５実施形態では、ＤＶＤ制御の履歴情報から重点視聴度を計算するモジュール（レッスン対応表データベース３７０７及び重点視聴度計算部３７０８）がＤＶＤ再生装置３７０２に内蔵されており、ＳＤカード３７０９に直接、重点視聴度を蓄積する構成となっている。また、重点視聴度を計算するために、各レッスンとシーンとの対応表のレッスン対応表データベース３７０７についてもＤＶＤ記録媒体等のコンテンツとともに蓄積されているものとする。例えば、テニスの場合には、図２９に示すような対応表がレッスン対応表データベース３７０７に蓄積されている。図２９の対応表の第１行目においては、レッスンＩＤが「フォアハンドストローク」の映像はシーンＩＤ０００１から００３６までとなっていることを示している。図２８の、その他のモジュールは、第１実施形態と同様の処理を行う構成となっている。
【０１２３】
よって、ＤＶＤ再生装置３７０２は、レッスン対応表データベース３７０７と、上記ＤＶＤ制御部３５０５と、上記ＤＶＤ再生部３５０４と、ＤＶＤ制御部３５０５とレッスン対応表データベース３７０７とに接続された重点視聴度計算部３７０８と、重点視聴度計算部３７０８に接続されたＳＤカード書き込み部３７１０とを備えて構成している。
【０１２４】
図２８の構成からなるシステムにおいて、ユーザの重点視聴度が重点視聴度計算部３７０８により計算され、ＳＤカード書き込み部３７１０によりＳＤカード３７０９に蓄積されたものとする。
【０１２５】
このＳＤカード３７０９を、カーナビ等の地図が表示できる端末に挿入した場合の動作について図３０を用いて説明する。
【０１２６】
図３０において、３７０９は重点視聴度が蓄積されたＳＤカード、３９０２はＳＤカード３７０９に蓄積された重点視聴度情報の例、３９０３はＳＤカード３７０９が挿入されるカーナビ、３９０４はカーナビ３９０３に接続されかつカーナビ３９０３の情報を表示するカーナビディスプレイ、３９０５はカーナビ３９０３内に備えられかつＳＤカード３７０９に蓄積された重点視聴度を読み込む重点視聴度読み込み部、３９０６はカーナビ３９０３内に備えられかつ各レッスンに対応する実体験サービスを行っている業者及びその位置情報との対応関係情報が蓄積されているレッスン・位置情報対応表データベース、３９０７はカーナビ３９０３内に備えられかつ地図情報が蓄積されている地図情報データベース、３９０８はカーナビ３９０３内に備えられて重点視聴度読み込み部３９０５とレッスン・位置情報対応表データベース３９０６と地図情報データベース３９０７とに接続されかつ重点視聴度読み込み部３９０５で読み込まれた重点視聴度が高い実体験サービスを行っている場所を検索する位置情報検索部、３９０９は位置情報検索部３９０８で検索された実体験サービスの場所（位置）の情報と地図情報を重ねてカーナビディスプレイ３９０４に表示する地図表示制御部である。なお、レッスン・位置情報対応表データベース３９０６には、図３１に示すような情報が蓄積されているものとする。すなわち、図３１においては、実体験サービスを行っている施設名称など施設を識別するための施設ＩＤと、その場所（位置）（緯度・経度）の情報と、その実体験サービスの特徴と、その施設に関するコメントが蓄積されている。
【０１２７】
図３０のように構成されたシステムの動作について、図３２のフローを用いて説明する。
【０１２８】
図３２において、まず、ステップＳ４１０１において、ＳＤカード３７０９に蓄積された重点視聴度情報３９０２のうちの最も重点視聴度が高いレッスンＩＤ「サーブ」が重点視聴度読み込み部３９０５により選択される。
【０１２９】
次いで、ステップＳ４１０２において、選択されたレッスンＩＤの重点視聴度が、重点視聴度の閾値（重点視聴されたレッスンか否かを判断するための目安となる値）以上か否かを重点視聴度読み込み部３９０５で判断する。ここでは、選択されたレッスンＩＤ「サーブ」の重点視聴度は１８５１であり、重点視聴度の閾値（ここでは１５００とする）を超えているため、ステップＳ４１０３へ進む。選択されたレッスンＩＤの重点視聴度が、重点視聴度の閾値未満の場合には、ステップＳ４１０５へ進み、選択されていないレッスンＩＤがあるか否かを判断し、選択されていないレッスンＩＤがあれば、ステップＳ４１０６へ進み、選択されていないレッスンＩＤが選択されると、再び、ステップＳ４１０２に進む。
【０１３０】
次いで、ステップＳ４１０３において、レッスン・位置情報対応データベース３９０６に、選択されたレッスンＩＤを有する該当する施設ＩＤがあるか否かを位置情報検索部３９０８で判断する。例えば、図３１のレッスン・位置情報対応データベース３９０６の「特徴」の属性において、選択されたレッスンＩＤ「サーブ」があるか否かを位置情報検索部３９０８で判断し、「田口テニススクール」が選択されて、ステップＳ４１０４に進む。もし、選択されたレッスンＩＤを有する該当する施設ＩＤが無い場合には、ステップＳ４１０６へ進み、選択されていないレッスンＩＤが選択されると、再び、ステップＳ４１０２に進む。
【０１３１】
次いで、ステップＳ４１０４において、ステップＳ４１０３で選択された該当施設を、場所情報から地図上に、地図表示制御部３９０９による制御の下にカーナビディスプレイ３９０４に表示して、ステップＳ４１０５に進む。例えば、「田口テニススクール」の場所情報が図３３に示されるようにカーナビディスプレイ３９０４の地図上に表示される。
【０１３２】
次いで、ステップＳ４１０５において、選択されていないレッスンＩＤがあるか否かを重点視聴度読み込み部３９０５により判断する。もし、選択されていないレッスンＩＤが無ければ、一連の処理を終了する。もし、選択されていないレッスンＩＤがあれば、ステップＳ４１０６へ進み、選択されていないレッスンＩＤが選択されると、再び、ステップＳ４１０２に進む。
【０１３３】
例えば、ＳＤカード３７０９に蓄積された重点視聴度３９０２の表から、選択されていないレッスンＩＤとして「バックハンドストローク」があるため、ステップＳ４１０６へ進む。
【０１３４】
ステップＳ４１０６においては、レッスンＩＤとして「バックハンドストローク」が選択され、ステップＳ４１０２へ進む。
【０１３５】
次いで、ステップＳ４１０２において、「バックハンドストローク」は、重点視聴度の閾値（１５００）を越えていないため、ステップＳ４１０５へ進む。
【０１３６】
次いで、ステップＳ４１０５において、選択されていないレッスンＩＤがないため、アルゴリズムを終了する。
【０１３７】
以上の動作の結果、図３３に示すように、「サーブ」の重点視聴度が１５００を越えていたため、「サーブ」のレッスンを特徴としている「田口テニススクール」の場所に関する情報と、そのコメントが地図上に表示される。
【０１３８】
これにより、ユーザが重点的に視聴していたレッスンを特徴として行っている実体験サービスの情報を地図上に表示することができ、ユーザは簡単に、自らの興味ある内容を実体験できる場所を確認することが可能になる。
（第６実施形態）
第１実施形態において、ユーザのコンテンツの視聴履歴を用いて、ユーザが興味をもって視聴した部分を抽出し、体験サービス（レッスン）の内容を各ユーザに適応させる技術について述べた。さらに、複数人で体験サービス（レッスン）を行う場合には、その複数人のコンテンツの視聴履歴を用いて、体験サービス（レッスン）の内容を変更する方法について述べた。
【０１３９】
しかしながら、複数人で体験サービス（レッスン）を行う場合に、各ユーザで興味のある実体験の内容が異なる場合には、ユーザを複数のクラスに分け、それぞれのクラスで興味の類似しているユーザ毎に体験サービス（レッスン）を行うことも可能である。
【０１４０】
そこで、本発明の第６実施形態においては、複数人で体験サービス（レッスン）を行う場合に、各ユーザの興味から、ユーザを複数のクラスに分類し、各クラス毎に実体験サービス（レッスン）を行う方法について述べる。また、ユーザには、初めて体験サービスを行うユーザもいれば、過去にも同様の体験サービス（レッスン）を実施しているユーザもいる。そこで、各ユーザの過去に行った体験サービス（レッスン）の履歴を参照することで、各ユーザの体験サービス（レッスン）のレベルを推定し、さらに、ユーザに応じた体験サービス（レッスン）の内容を設定することが可能になる。
【０１４１】
本発明の第６実施形態の実体験サービスシステム構成を図３４に示す。図３４では、視聴コンテンツ内容蓄積手段３４０１と、視聴履歴蓄積手段３４０２と、視聴特徴抽出手段３４０３と、体験サービス履歴蓄積手段３４０４と、体験サービス内容設定手段３４０５とより構成される。次に、第１実施形態と同様にテニスのＤＶＤコンテンツの視聴履歴により、テニスの実体験サービスのレッスンを、各ユーザに適応させる例を用いて、各モジュール（構成要素）の動作内容について説明する。
【０１４２】
視聴コンテンツ内容蓄積手段３４０１においては、第１実施形態の図６Ａに示すように、動画コンテンツの各フレーム毎に、レッスンの内容が確認できるように、視聴コンテンツの内容が蓄積されている。
【０１４３】
視聴履歴蓄積手段３４０２においては、第１実施形態の図７に示すように、視聴コンテンツ内容蓄積手段３４０１で蓄積されている視聴コンテンツの視聴履歴が蓄積されている。なお、本第６実施形態においては、複数人の視聴履歴蓄積手段の内容を利用する。
【０１４４】
視聴特徴抽出手段３４０３は、視聴コンテンツ内容蓄積手段３４０１で蓄積されているコンテンツ内容に対して、第１実施形態と同様に視聴履歴蓄積手段３４０２に蓄積されている各ユーザの視聴履歴から重点的に視聴していた視聴特徴を抽出する。視聴特徴の抽出方法については、第１実施形態と同様に、各ユーザの視聴履歴に対して視聴特徴（例えば、第１実施形態では、テニスのレッスンの場合には、フォアハンドストローク、バックハンドストローク、サーブ、ボレー等）を抽出する。その結果、図３５に示すように複数のユーザＡ〜Ｅのそれぞれの各レッスンに対する視聴特徴が抽出される。図３５においては、テニスの動画コンテンツを閲覧した結果、各レッスンに対して重点視聴度合いを視聴特徴抽出手段３４０３で算出したものである。さらに、各ユーザの重点視聴度合いを正規化するため、ユーザ毎に重点視聴度の割合を視聴特徴抽出手段３４０３で算出している。その結果、ユーザＡとユーザＣは、サーブのレッスンが最も重点視聴度の割合が高く、ユーザＢとユーザＤは、バックハンドストロークのレッスンの重点視聴度の割合が高いという結果が得られる。また、ユーザＥは、ボレーのレッスンの重点視聴度の割合が高く、ボレーのレッスンを重点的に視聴していたことがわかる。
【０１４５】
体験サービス履歴蓄積手段３４０４においては、図３６に示すように各ユーザの体験サービスを行った履歴情報が蓄積されている。図３６は、ユーザＡ〜ユーザＥの体験サービスの履歴として体験サービスを行った日時とそのときのレッスンの重点内容がある。例えば、ユーザＡとユーザＣとユーザＥはサーブのレッスンが多く、ユーザＢとユーザＤはストロークのレッスンが多いことがわかる。このように、各ユーザの体験サービスの履歴情報が蓄積されている。
【０１４６】
体験サービス内容設定手段３４０５は、各ユーザの視聴特徴抽出手段３４０３で抽出された視聴特徴と体験サービス履歴蓄積手段３４０４で蓄積されている体験サービスの履歴情報から、各ユーザを複数のクラスに分類し、各クラスの実体験の内容を設定するものである。具体的には、例えば、図３５のように各ユーザの各レッスンに対する重点視聴度が計算され、さらに、図３６に示すように各ユーザの体験サービス（レッスン）の履歴内容が与えられると、各ユーザの体験サービス（レッスン）メニューを生成する。図３５のコンテンツの視聴履歴からは、重点視聴度の割合が最も高いもので、ユーザを分類すると、ユーザＡとユーザＣを、サーブを重点的にレッスンするクラスに体験サービス内容設定手段３４０５で分類して、サーブレッスンのクラスの実体験の内容を設定し、ユーザＢとユーザＤを、バックハンドストロークを重点的にレッスンするクラスに体験サービス内容設定手段３４０５で分類して、バックハンドストロークレッスンのクラスの実体験の内容を設定することができる。しかしながら、ユーザＥは、ボレーのレッスンを重点的に視聴していたため、いずれのクラスにも相当しないが、テニスの実体験が行えるコートが２面しかなく、同時にレッスンを行えるクラスが２つであった場合には、ユーザＥはどちらかのクラスに所属させる必要がある。そこで、ユーザＥの過去の体験したレッスンの履歴を参照する。図３６より、ユーザＡとユーザＣは、同じクラスにおいて「サーブ」の体験サービス（レッスン）を多く行っていたことがわかる。そこで、ユーザＥのレッスンの履歴を参照すると、ユーザＡとユーザＣと類似して、サーブのレッスンを多く体験していたことがわかる。そこで、ユーザＥを、ユーザＡ、ユーザＣと同じクラスに分類し、同様のレッスン内容を体験するように体験サービス内容設定手段３４０５で設定する。
【０１４７】
これにより、動画の視聴履歴と実体験サービス（レッスン）の履歴を用いて、体験の好みが類似したユーザを一まとめにした体験サービス（レッスン）の設定を自動的に行うことが可能になる。
【０１４８】
以上の動作を図３７のフローチャートにまとめる。始めに、視聴特徴抽出手段３４０３において、視聴履歴蓄積手段３４０２に蓄積されている各ユーザの視聴履歴から、視聴コンテンツ内容蓄積手段３４０１に蓄積されている各レッスンに対する視聴特徴を抽出する（ステップＳ３７０１）。次に、図３５に示すように、各ユーザの重点視聴度の割合を視聴特徴抽出手段３４０３で計算する（ステップＳ３７０２）。各ユーザが最も重点的に閲覧していたレッスンによって、クラスに体験サービス内容設定手段３４０５で分類する（ステップＳ３７０３）。図３５の例では、「サーブ」を重点的に閲覧していたユーザＡとユーザＣ、「ストローク」を重点的に閲覧していたユーザＢとユーザＤが同じクラスに分類される。しかしながら、「ボレー」を閲覧していたユーザＥは、視聴履歴からだけでは、クラスに分類することが難しい。そこで、重点視聴度の傾向が異なるユーザが発生しなかった場合には、アルゴリズムを終了するが、傾向が異なるユーザが発生した場合には、ステップＳ３７０５へ進む（ステップＳ３７０４）。既定のクラスに分類できなかったユーザが存在した場合には、これまでのレッスンの履歴を参照することで、いずれかのクラスに体験サービス内容設定手段３４０５で分類する（ステップＳ３７０５）。ユーザＥの場合には、図３６に示すように過去に「ストローク」を１回と「サーブ」を２回のレッスンを体験している。そこで、ユーザＡ、Ｃが分類されたクラスと、ユーザＢ、Ｄが分類されたクラスについて、各ユーザの過去の体験サービス（レッスン）の履歴を参照し、ユーザＥの過去の体験サービス（レッスン）が類似しているクラスに体験サービス内容設定手段３４０５で分類する。
【０１４９】
なお、本第６実施形態においては、視聴履歴の内容に応じて体験サービス（レッスン）を行う複数のユーザを分類し、各ユーザの体験サービス（レッスン）を設定している。よって、例えば、普段、レッスンを体験しているユーザで、視聴コンテンツも閲覧しているユーザに対しては、さらに、より高度な体験メニューを設定するようにすることができる。また、普段、レッスンを体験していないユーザであっても、視聴コンテンツを閲覧しているユーザに対しては、初級の体験メニューを設定するようにすることができる。また、そのときに、視聴履歴からだけでは、分類することが難しいユーザについては、そのユーザの過去の体験サービス（レッスン）の内容から、既に分類されたクラスに帰属するユーザの過去の体験サービス（レッスン）と類似しているクラスに分類することで、各ユーザの体験サービス（レッスン）の設定を行っている。
【０１５０】
さらに、コンテンツを十分に視聴していないために視聴履歴が十分にないユーザが体験サービス（レッスン）を希望した場合には、そのユーザに関しては、過去の体験サービス（レッスン）から体験メニューを決定することも可能である。これにより、動画コンテンツを十分に閲覧していないために、ユーザのレッスンの興味が抽出できないユーザについても、自動的にレッスンメニューを設定することが可能になる。
（第７実施形態）
先の第２実施形態においては、ユーザによるテニスのコンテンツの視聴閲覧履歴から、そのユーザの興味のあるレッスンを抽出し、ユーザが、そのレッスンを行っているところの撮影をレッスンの時間の情報を利用して行った。また、第３実施形態においては、ゴルフのコンテンツの視聴閲覧履歴から、レッスンを行う場所の情報を利用して、撮影の制御を行った。
【０１５１】
さらに、本第７実施形態においては、閲覧するコンテンツにそのコンテンツの撮像条件が記録されており、その撮像条件を利用することで、そのユーザのレッスン内容を閲覧したコンテンツに近い条件で撮像することが可能になる。例えば、ゴルフにおけるドライバーショットの撮像条件（被写体をどういう角度で撮像しているか）の情報を利用して、その撮像が可能な場所での実体験を、ユーザに勧めることが可能になる。ドライバーでゴルフボールを打つ打席が複数存在し、各打席において、異なるレイアウトで撮像装置が装備されている場合には、ユーザが閲覧したコンテンツにおけるドライバーの打ち方と、ユーザの打ち方を見比べるときには、同じような撮像条件で撮像した映像の方が比較が容易である。そこで、ユーザの閲覧履歴から、重点的に閲覧したコンテンツの部分の撮像条件より、実体験サービス（レッスン）を提案する方法について述べる。
【０１５２】
図３８は本発明の第７実施形態の実体験サービスシステム構成である。図３８は、視聴コンテンツ内容蓄積手段３８０１と、撮像条件蓄積手段３８０２と、視聴履歴蓄積手段３８０３と、視聴特徴抽出手段３８０４と、撮像装置設定記憶手段３８０５と、体験場所選択手段３８０６と、撮像手段３８０７と、表示装置３８０８（例えば携帯電話等の小型端末３８０８Ａ又は打席に配置されたモニタ３８０８Ｂなど）とより構成されている。次に、各モジュール（構成要素）について説明する。
【０１５３】
視聴コンテンツ内容蓄積手段３８０１は、ＤＶＤ等のメディア（記憶媒体）又は記憶媒体などから視聴コンテンツが蓄積されたハードディスクなどの蓄積部で構成され、動画像コンテンツとその内容について蓄積されている。
【０１５４】
撮像条件蓄積手段３８０２は、視聴コンテンツ内容蓄積手段３８０１に蓄積されている視聴コンテンツに対して、その視聴コンテンツが撮像されたときの撮像装置（撮像手段）３８０７の撮像条件（例えば設置条件）が蓄積されている。例えば、図３９に示すように、各レッスン内容に対して、撮像装置３８０７の撮像条件の一例としての設置位置条件が
左後方、背面、右後方、左前方、正面、右前方のように記載され蓄積されている。
【０１５５】
視聴履歴蓄積手段３８０３は、第１実施形態の図７と同様に、視聴コンテンツ内容蓄積手段３８０１で蓄積されている視聴コンテンツの視聴履歴が蓄積されている。
【０１５６】
視聴特徴抽出手段３８０４は、視聴コンテンツ内容蓄積手段３８０１で蓄積されている視聴コンテンツに対して、視聴履歴蓄積手段３８０３で蓄積されている視聴履歴を利用して、各動画像に対する撮像条件が蓄積されている撮像条件蓄積手段３８０２の撮像条件に対して、ユーザが重点的に視聴していた撮像条件を抽出する部分である。例えば、図３９の重点視聴度に示しているように、各撮像条件に対してどれくらい集中的にユーザが視聴していたかを視聴特徴抽出手段３８０４で計算する。図３９では、ドライバーショットの右後方から撮像した画像に対して重点視聴度１１２で閲覧していたことを示している。
【０１５７】
撮像装置設定記憶手段３８０５は、体験サービス（レッスン）を行う各場所において撮像装置３８０７の設置状態が蓄積されている。例えば、図４０Ａと図４０Ｂに示すように、同じゴルフを練習する場所であっても、撮像装置３８０７が異なる設定である場合を示している。図４０Ａの練習場１においては、撮像装置３８０７が、打席に立ったユーザに対して、左後方、背面、右後方、左前方、正面、右前方の合計６台設定されており、図４０Ｂの練習場２においては、撮像装置３８０７が、打席に立ったユーザに対して、左後方、右後方、左前方、右前方の合計４台設定されている。これらの設定情報を、図４１に示すように、練習場１〜３毎に撮像装置３８０７（ここでは、６種類の撮像装置１〜６）の設置状態が蓄積されている。なお、練習場１のみ設定し、背面と正面の撮像装置３８０７を使用しない場合は練習場２として取り扱うことにより、１つの練習場で２つの異なるパターンの練習場として使用することもできる。
【０１５８】
体験場所選択手段３８０６は、視聴特徴抽出手段３８０４で抽出された視聴特徴を基に、撮像装置設定記憶手段３８０５で蓄積されている各実体験サービスを行える場所の撮像装置３８０７の設置状況を基に、ユーザが実体験サービス（レッスン）を行うのに適している練習場を選択するものである。本第７実施形態においては、図３９のように、正面、右後方、中後方からの動画像をよく視聴していることがわかる。そこで、これらの撮像条件でユーザのレッスンの状況を撮像するためには、練習場１を利用しなければならない。練習場２においては、４個の撮像装置３８０７しか設置されていないため、正面から撮像することができない。よって、練習場１が選択される。
【０１５９】
撮像装置３８０７は、体験場所選択手段３８０６で選択された体験場所でのユーザの実体験を撮像し、視聴コンテンツ内容蓄積手段３８０１に記録するものである。これにより、視聴コンテンツ内容蓄積手段３８０１で蓄積されている撮像コンテンツと、同じような角度から撮像したユーザの実体験の画像を確認することができ、お手本のスイングとユーザのスイングとの比較を容易に行うことが可能になる。なお、このとき、撮像コンテンツと同じような角度からのみ撮像装置３８０７で撮像するものに限らず、撮像コンテンツと同じような角度からの撮像装置３８０７の他にも、設置されている全ての撮像装置３８０７で撮像を行い、比較するときに、撮像コンテンツと同じような角度からのみ撮像された画像を選択するようにしてもよい。
【０１６０】
表示装置３８０８は、視聴コンテンツ内容蓄積手段３８０１で蓄積されているコンテンツを、視聴特徴抽出手段３８０４で抽出されたユーザが興味をもって閲覧していた部分を再生して表示するものである。これにより、練習場においても、ユーザが家庭で重点的に閲覧していたコンテンツの内容を簡単に探しだすことができ、実体験を行いながら携帯電話等の小型端末３８０８Ａ、又は、打席近くに配置されたモニタ３８０８Ｂで確認することが可能になる。
【０１６１】
以上の動作を図４２のフローチャートを用いて説明する。まず、最初に、視聴コンテンツ内容蓄積手段３８０１に蓄積されているコンテンツに対するユーザの視聴履歴が蓄積されている視聴履歴蓄積手段３８０３から各レッスンに対する重点視聴度を視聴特徴抽出手段３８０４で計算する（ステップＳ４２０１）。コンテンツに対して撮像条件が付与されているコンテンツの場合には、次のステップへ進むが、付与されていないコンテンツの場合には、アルゴリズムを終了する（ステップＳ４２０２）。撮像条件が付与されているコンテンツの場合には、視聴特徴抽出手段３８０４において、各レッスンの撮像条件毎に重点視聴度を視聴特徴抽出手段３８０４で計算する（ステップＳ４２０３）。実体験を行う場所における撮像条件を記憶している撮像装置設定記憶手段３８０５の情報を利用して、体験場所選択手段３８０６において、重点視聴度が最も高い撮像条件で撮像が可能な実体験が可能かどうかを検索する（ステップＳ４２０４）。図３９の例においては、正面からのドライバーショットの撮像条件が最も高いため、図４０Ａと図４０Ｂに示す撮像装置配置パターンが異なる練習場１と２があった場合に、練習場１での実体験を推薦する。重点視聴度が最も高い撮像条件の実体験が可能でなかった場合には、視聴度が高い撮像条件を実現できる実体験が行える場所を推薦する（ステップＳ４２０５）。
【０１６２】
以上の動作を行った後に、ユーザが実体験を行っているシーンを、撮像コンテンツと同じような角度からの撮像装置３８０７のみで、又は、設置されている全ての撮像装置３８０７で撮像し、ユーザが視聴していたＤＶＤ等の記憶媒体（視聴コンテンツ内容蓄積手段３８０１）に蓄積する。これにより、ユーザが視聴していたレッスンの動画像と、ユーザが実体験を行っている動画像の比較を、同じ撮像条件ででき（設置されている全ての撮像装置３８０７で撮像した場合には、撮像コンテンツと同じような角度からのみ撮像された画像を選択して比較するでき）、容易に見比べることができるようになる。
【０１６３】
また、ユーザの視聴履歴から重点的に視聴していたレッスンの動画像を容易に視聴コンテンツ内容蓄積手段３８０１から検索することができるため、実体験を行っている場所においても、動画像を確認することができ、自らのフォームのチェック等を行うことが可能になる。
＜変形例＞
上記の実施形態においては、すでに蓄積されている動画コンテンツと同様の撮像アングルによって、ユーザの実体験の内容を動画コンテンツとして蓄積することができ、動画コンテンツの手本となるフォームと、ユーザのフォームを比較することが可能になる。
【０１６４】
しかしながら、ユーザのゴルフのスイングを撮像することができるが、すでに蓄積されているコンテンツと同期して再生することが難しい。そこで、ゴルフボールを供給する時間間隔を計測することで、ユーザがスイングを行っている時間を推定し、手本となるスイングとを同期させて再生する方法について述べる。
【０１６５】
第１実施形態において、ユーザのテニスの動画コンテンツを閲覧した履歴情報を利用して、ユーザのレッスンのメニューを作成する方法について説明した。同様の方法によって、図４３に示すように、ユーザの視聴履歴からゴルフのレッスンメニューを作成することが可能である。
【０１６６】
例えば、ゴルフのレッスンの動画像の閲覧履歴から、図４３のように実体験メニューを生成することができる。次に、ユーザに対して供給されたゴルフのボール数でユーザの現在の実体験の内容を把握することができる。例えば、図４４のようにユーザのレバー操作（ボール供給装置４００１の供給レバー４０００を下に押すこと）により、ボール供給装置４００１の供給部４００２からユーザに対して供給されたボール４００３の数を検出することができるような制御装置４０１０がある場合には、ユーザの実体験の内容を把握することができる。
【０１６７】
すなわち、ユーザの供給レバー４０００を下に押す操作によって、ボール供給装置４００１の供給部４００２からボール４００３が供給されたタイミングの情報がボール供給装置４００１から制御装置４０１０で検出されると、図４５に示すように、撮像装置３８０７で撮像していて制御装置４０１０に入力される動画像において、どのタイミングでユーザがスイングをしたかを推定することが制御装置４０１０で可能となる。図４５では、例えば、ボールが供給されるタイミングの前後１０秒の間は、スイングを行っていない可能性が高いため、その時間を省いた部分においてユーザがスイングしていると制御装置４０１０で推定する。なお、この制御装置４０１０は、例えば、図３８の撮像装置３８０７の位置に配置すればよい。
【０１６８】
このようにして、ユーザがスイングを行っているタイミングを推定することで、図４６に示すように、撮像装置３８０７の設置条件だけでなく、ゴルフボールがセットされてから、クラブでボールを打つタイミングを制御装置４０１０で計ることができ、ＤＶＤに蓄積されているコンテンツにおけるスイングと同期させたユーザのスイングを再生することが可能なように、制御装置４０１０から視聴コンテンツ内容蓄積手段３８０１に、ユーザのスイング情報を出力することが可能になる。
【０１６９】
なお、この変形例においては、ゴルフのスイングを撮像している場面について説明したが、テニスにおいても、ボール供給装置から自動的に供給されたボールに対してスイングすることで実体験を行うような場合においても、スイングするタイミングを制御装置で同様に推定することが可能になる。さらに、撮像された動画像についても、手本となる動画像と同期した再生が可能になる。
【０１７０】
なお、第７実施形態では、撮像画像は、撮像コンテンツと同じような角度からの１つの撮像装置を使って撮影することとしていたが、さらに、複数の撮像装置を利用して撮像し、撮像後に合成を行ってもよい。
【０１７１】
なお、第７実施形態では、図４１に示すように撮像条件として撮像装置の設置位置と撮像装置の視野角についてのデータを用いていた。さらに、撮像装置の光軸の向きや解像度を用いてもよい。例えば、視聴内容コンテンツの解像度が十分に高い場合や、ズーム等によって撮像されている場合には、高解像度をもった撮像装置が設置されている場所を優先的に選択することも可能である。
【０１７２】
なお、本発明は上記実施形態に限定されるものではなく、その他種々の態様で実施できる。例えば、視聴対象情報の一例としての上記履歴情報としては、再生のみについて説明したが、ユーザがＣＡＴＶやネットワークを通じて配信された動画像について録画した録画履歴情報を使用するようにしてもよい。
【０１７３】
なお、上記様々な実施形態のうちの任意の実施形態を適宜組み合わせることにより、それぞれの有する効果を奏するようにすることができる。
【産業上の利用可能性】
【０１７４】
本発明にかかる視聴履歴情報蓄積記録媒体及び実体験サービスシステムは、記録媒体やネットやケーブルなどの通信手段を通じて提供される視聴対象情報に対するユーザの再生や録画などの視聴履歴情報に応じて、そのユーザに必要な実体験サービスを適応させることが可能になる。
【図面の簡単な説明】
【０１７５】
【図１】本発明の第１実施形態にかかる実体験サービスシステムの一例として、視聴履歴情報蓄積記録媒体を利用する実体験サービスシステムの全体の一構成例を示す図である。
【図２Ａ】図１における自宅でのハードウエア構成、すなわち、電子タグ付きＤＶＤを再生する装置の一例であるＤＶＤ再生装置のシステム構成の一例を示す図である。
【図２Ｂ】第１実施形態にかかる上記実体験サービスシステムの実体験サービス決定装置の構成を示すブロック図である。
【図３】第１実施形態にかかる上記実体験サービスシステムの実体験サービスを提供している会社が運営しているインターネットのホームページの図である。
【図４】第１実施形態にかかる上記実体験サービスシステムにおいて、ＤＶＤに蓄積されているコンテンツのメニューの一例の図である。
【図５】第１実施形態にかかる上記実体験サービスシステムにおいて、ＤＶＤ再生装置でユーザがＤＶＤの動画像を再生する場合のフロー図である。
【図６Ａ】第１実施形態にかかる上記実体験サービスシステムにおいて、「テニス（初級編）」のＤＶＤに記録された、「フォアハンドストローク」及び「バックハンドストローク」のレッスンの内容を示す図である。
【図６Ｂ】第１実施形態にかかる上記実体験サービスシステムにおいて、「テニス（初級編）」のＤＶＤに記録された、「サーブ」及び「スピンサーブ」のレッスンの内容を示す図である。
【図７】第１実施形態にかかる上記実体験サービスシステムにおいて、電子タグに記録された再生履歴情報の図である。
【図８】第１実施形態にかかる上記実体験サービスシステムにおいて、実体験サービスを受け付ける施設のフロントの実体験サービス決定装置のより具体的なシステム構成を示す図である。
【図９】第１実施形態にかかる上記実体験サービスシステムにおいて、ユーザがフロントに至るまでにゲートを通るだけで視聴履歴情報の内容を読み取るようなハードウエア構成を示す図である。
【図１０】第１実施形態にかかる上記実体験サービスシステムにおいて、各レッスンＩＤに対する重点視聴度を求めるフロー図である。
【図１１】第１実施形態にかかる上記実体験サービスシステムにおいて、ＤＶＤに蓄積されている、ＤＶＤのＩＤと、コンテンツの内容と、各コンテンツにおけるレッスンの内容と、そのシーンのシーンＩＤに関する情報の例の図である。
【図１２】第１実施形態にかかる上記実体験サービスシステムにおいて、各レッスンＩＤに対する視聴時間とモードの例を示す図である。
【図１３】第１実施形態にかかる上記実体験サービスシステムにおいて、モードと重点視聴係数との例を示す図である。
【図１４】第１実施形態にかかる上記実体験サービスシステムにおいて、各レッスンＩＤに対する重点視聴度の値の例を示す図である。
【図１５】第１実施形態にかかる上記実体験サービスシステムにおいて、重点視聴度を基に、実体験であるレッスンのメニューを決定するフロー図である。
【図１６】第１実施形態にかかる上記実体験サービスシステムにおいて、ユーザＡ，Ｂ，Ｃ，Ｄの４名のユーザの重点視聴度の表と、それらの和をとり、実体験をするユーザ全体の重点視聴度の表を示す図である。
【図１７】第１実施形態にかかる上記実体験サービスシステムにおいて、実体験をするユーザ全体の重点視聴度を基に、標準メニューである調整前実体験メニューを調整後実体験メニューに変更する状態を示す図である。
【図１８Ａ】本発明の第２実施形態にかかる上記実体験サービスシステムにおいて、実体験サービスが実行される場所（施設）でのシステム構成を示す図である。
【図１８Ｂ】第２実施形態にかかる上記実体験サービスシステムにおいて、実体験サービスが実行される場所（施設）でのシステム構成のより詳細な図であって、第１実施形態の実体験サービス決定装置のコンテンツ対応表データベースと抽出部とに代えて、実体験映像蓄積部を備える構成を示すブロック図である。
【図１９】第２実施形態にかかる上記実体験サービスシステムにおいて、重点視聴度が計算された後の処理の流れを示す図である。
【図２０】第２実施形態にかかる上記実体験サービスシステムにおいて、最も重点視聴度が高いレッスンＩＤ「サーブ」に対応して実体験メニューの「サーブ練習」がチェックされる状態を示す図である。
【図２１】第２実施形態にかかる上記実体験サービスシステムにおいて、レッスンの動画（左側）と実体験の動画（右側）を簡単に見比べる状態を示す図である。
【図２２】第２実施形態にかかる上記実体験サービスシステムにおいて、あらかじめＤＶＤ等の記録媒体に蓄積されている動画に対して、実体験の動画が蓄積されているシーンでは「体験映像」というボタンがテレビ等のディスプレイ（表示装置）に表示される状態を示す図である。
【図２３】本発明の第３実施形態にかかる上記実体験サービスシステムにおいて、ＤＶＤ記録媒体に視聴履歴情報を書き込むシステム構成の例を示す図である。
【図２４】第３実施形態にかかる上記実体験サービスシステムにおいて、ゴルフの各練習場の施設にカメラを設置し、ユーザが持参したＤＶＤ記録媒体に蓄積されている視聴履歴情報を用いてカメラを制御し、ユーザにとって必要な部分のみを撮影し、ＤＶＤ記録媒体に蓄積するシステムの構成を示す図である。
【図２５】第３実施形態にかかる上記実体験サービスシステムにおいて、ユーザが施設を利用するためのプリペイドカードを各練習場において挿入できるＩＣカード挿入装置を設置して、該当ユーザか否かを判断する装置を示す図である。
【図２６】本発明の第４実施形態にかかる上記実体験サービスシステムにおいて、フロントに持参することなく、ネットワークを介して、ユーザの自宅での視聴履歴情報から実体験サービスをユーザに合わせるシステムの構成を示す図である。
【図２７】第４実施形態にかかる上記実体験サービスシステムにおいて、第２実施形態の内容をネットワークを介して実現するためのシステム構成を示す図である。
【図２８】本発明の第５実施形態にかかる上記実体験サービスシステムにおいて、ＤＶＤ再生装置にＳＤカードスロットが付属している機器の構成例を示す図である。
【図２９】第５実施形態にかかる上記実体験サービスシステムにおいて、レッスン対応表データベースに蓄積されているテニスの場合の対応表の例の図である。
【図３０】第５実施形態にかかる上記実体験サービスシステムにおいて、ＳＤカードを、カーナビ等の地図が表示できる端末に挿入して、ユーザが重点的に視聴していたレッスンを特徴として行っている実体験サービスの情報を地図上に表示するためのシステムの構成を示す図である。
【図３１】第５実施形態にかかる上記実体験サービスシステムにおいて、レッスン・位置情報対応表データベースに蓄積されている、実体験サービスを行っている施設名称など施設を識別するための施設ＩＤと、その場所（位置）（緯度・経度）の情報と、その実体験サービスの特徴と、その施設に関するコメントの例を示す図である。
【図３２】第５実施形態にかかる上記実体験サービスシステムにおいて、図３０の構成により、ユーザが重点的に視聴していたレッスンを特徴として行っている実体験サービスの情報を地図上に表示するための動作のフローを示す図である。
【図３３】第５実施形態にかかる上記実体験サービスシステムにおいて、ユーザが重点的に視聴していたレッスンを特徴として行っている実体験サービスの情報が地図上に表示された状態を示す図である。
【図３４】本発明の第６実施形態の実体験サービスシステムの構成を示す説明図である。
【図３５】第６実施形態の実体験サービスシステムにおいて、ユーザＡ〜ユーザＥのそれぞれのレッスンと重点視聴度と割合とを示す図である。
【図３６】第６実施形態の実体験サービスシステムにおいて、ユーザＡ〜ユーザＥのそれぞれの体験サービスを行った履歴情報を示す図である。
【図３７】第６実施形態の実体験サービスシステムにおいて、動画の視聴履歴と実体験サービス（レッスン）の履歴を用いて、体験の好みが類似したユーザを一まとめにした体験サービス（レッスン）の設定を自動的に行うためのフロチャートである。
【図３８】本発明の第７実施形態の実体験サービスシステムの構成を示す説明図である。
【図３９】第７実施形態の実体験サービスシステムにおいて、レッスン内容と、再生時間と撮像条件と重点視聴度との関係の表を示す図である。
【図４０Ａ】第７実施形態の実体験サービスシステムにおいて、ゴルフを練習する練習場１を説明するための説明図である。
【図４０Ｂ】第７実施形態の実体験サービスシステムにおいて、ゴルフを練習する練習場２であって、練習場１とは撮像装置の設置位置が異なる練習場２を説明するための説明図である。
【図４１】第７実施形態の実体験サービスシステムにおいて、練習場１〜３毎に６種類の撮像装置１〜６の設置状態（３次元のＸＹＺの位置座標と視野角）を示す図である。
【図４２】第７実施形態の実体験サービスシステムの動作を示すフローチャートである。
【図４３】本発明の変形例における、実体験メニューの一例として、ユーザに対する本日の練習メニューを示す図である。
【図４４】本発明の変形例における構成を示す図であって、ボール供給装置の供給レバーをユーザが下に押すことにより、ボール供給装置の供給部からユーザに対してボールが供給される状態を示す図である。
【図４５】本発明の変形例において、撮像装置で撮像していて制御装置に入力される動画像において、どのタイミングでユーザがスイングをしたかを推定することを説明するための図である。
【図４６】本発明の変形例において、ユーザが閲覧していた動画像と、ユーザの実体験を撮像した動画像とを同期させて表示装置で再生する状態を示す図である。
【符号の説明】
【０１７６】
１００１…ユーザの自宅、１００２…ＤＶＤ、１００２Ａ…電子タグ、１００３…電子タグ読み書き機能付きＤＶＤ再生装置、１００４…表示装置、１００５…実体験サービスを受ける施設のフロント、１００６…電子タグ読み取り装置、１００７…実体験サービス決定装置、１００７Ａ…再生履歴情報蓄積データベース、１００７Ｂ…メニュー情報蓄積データベース、１００７Ｃ…撮像情報蓄積データベース、１００７Ｄ…抽出部、１００７Ｅ…制御部、１００７Ｆ…記録部、１００７Ｇ…メニュー決定部、１００７Ｈ…表示部、
１１０４…ＤＶＤ再生部、１１０５…制御部、１１０６…電子タグ書き込み部、１１０７…表示制御部、１１０８…リモコン、
１７０４…コンテンツ対応表データベース、１７０５…対応検出部、１７０６…重点視聴度算出部、
２７０２…電子タグ読み取り装置、２７０３…実体験映像蓄積部、２７０３…実体験映像蓄積部、２７０４…コンテンツ対応表データベース、２７０５…対応検出部、２７０６…重点視聴度算出部、２７０７…撮影制御スケジュール設定部、２７０８…カメラ、２７０９…撮影制御部、２７１０…撮影内容記録部、
３２０１…蓄積機能を持つＤＶＤ記録媒体、３２０２…履歴情報蓄積機能付きＤＶＤ再生装置、３２０４…ＤＶＤ再生部、３２０５…ＤＶＤ制御部、３２０６…ＤＶＤ記録部、
３３０８…カメラ、
３４０１…視聴コンテンツ内容蓄積手段、３４０２…視聴履歴蓄積手段、３４０３…視聴特徴抽出手段、３４０４…体験サービス履歴蓄積手段、３４０５…体験サービス内容設定手段、
３５０１…ＤＶＤ記録媒体、３５０２…視聴履歴情報蓄積機能付きＤＶＤ再生装置、３５０３…表示制御部、３５０４…ＤＶＤ再生部、３５０５…ＤＶＤ制御部、３５０６…視聴履歴情報蓄積部、３５０７…ホームゲートウエイ、３５０８…実体験スケジュール自動設計装置、３５０９…公衆ネットワーク、３５１０…コンテンツ対応表データベース、３５１１…記録媒体ＩＤコンテンツＩＤ対応検出部、３５１２…重点視聴度計算部、３５１３…スケジュール設定部、３５１４…スケジュール表示部、
３６０２…視聴履歴情報蓄積機能付きＤＶＤ再生装置、３６０８…実体験スケジュール自動設計装置、３６１３…撮影制御スケジュール設定部、３６１４…撮影制御部、３６１５…撮影内容記憶部、３６１６…ＤＶＤ蓄積部、
３７０２…ＤＶＤ再生装置、３７０７…レッスン対応表データベース、３７０８…重点視聴度計算部、３７０９…ＳＤカード、３７１０…ＳＤカード書き込み部、
３８０１…視聴コンテンツ内容蓄積手段、３８０２…撮像条件蓄積手段、３８０３…視聴履歴蓄積手段、３８０４…視聴特徴抽出手段、３８０５…撮像装置設定記憶手段、３８０６…体験場所選択手段、３８０７…撮像手段、３８０８…表示装置、３８０８Ａ…携帯端末機、３８０８Ｂ…モニタ、
３９０２…重点視聴度情報の例、３９０３…カーナビ、３９０４…カーナビディスプレイ、３９０５…重点視聴度読み込み部、３９０６…レッスン・位置情報対応表データベース、３９０７…地図情報データベース、３９０８…位置情報検索部、３９０９…地図表示制御部、
４０００…供給レバー、４００１…ボール供給装置、４００２…供給部、４００３…ボール、４０１０…制御装置。
【図１】
2005185830.tif 000003
【図２Ａ】
2005185830.tif 000004
【図２Ｂ】
2005185830.tif 000005
【図３】
2005185830.tif 000006
【図４】
2005185830.tif 000007
【図５】
2005185830.tif 000008
【図６Ａ】
2005185830.tif 000009
【図６Ｂ】
2005185830.tif 000010
【図７】
2005185830.tif 000011
【図８】
2005185830.tif 000012
【図９】
2005185830.tif 000013
【図１０】
2005185830.tif 000014
【図１１】
2005185830.tif 000015
【図１２】
2005185830.tif 000016
【図１３】
2005185830.tif 000017
【図１４】
2005185830.tif 000018
【図１５】
2005185830.tif 000019
【図１６】
2005185830.tif 000020
【図１７】
2005185830.tif 000021
【図１８Ａ】
2005185830.tif 000022
【図１８Ｂ】
2005185830.tif 000023
【図１９】
2005185830.tif 000024
【図２０】
2005185830.tif 000025
【図２１】
2005185830.tif 000026
【図２２】
2005185830.tif 000027
【図２３】
2005185830.tif 000028
【図２４】
2005185830.tif 000029
【図２５】
2005185830.tif 000030
【図２６】
2005185830.tif 000031
【図２７】
2005185830.tif 000032
【図２８】
2005185830.tif 000033
【図２９】
2005185830.tif 000034
【図３０】
2005185830.tif 000035
【図３１】
2005185830.tif 000036
【図３２】
2005185830.tif 000037
【図３３】
2005185830.tif 000038
【図３４】
2005185830.tif 000039
【図３５】
2005185830.tif 000040
【図３６】
2005185830.tif 000041
【図３７】
2005185830.tif 000042
【図３８】
2005185830.tif 000043
【図３９】
2005185830.tif 000044
【図４０Ａ】
2005185830.tif 000045
【図４０Ｂ】
2005185830.tif 000046
【図４１】
2005185830.tif 000047
【図４２】
2005185830.tif 000048
【図４３】
2005185830.tif 000049
【図４４】
2005185830.tif 000050
【図４５】
2005185830.tif 000051
【図４６】
2005185830.tif 000052